(57)【要約】  高周波コントローラ装置は、ＲＦ通信を用いて対象ユーティリティを制御できる。高周波コントローラ装置は、ＲＦ通信に応じて所定の状態に設定されるスイッチを有する。より詳細には、条件付きロジック回路がＲＦ通信を用いて対象ユーティリティを変更すべきかどうかを決定し、それに応じてスイッチの状態を設定する。高周波コントローラ装置はさらに対象インタフェースを有し、前記対象インタフェースによって対象はスイッチの状態を決定し、スイッチの状態に基づいて対象に対して異なるユーティリティが利用可能になる。高周波コントローラ装置はさらに、ＲＦ通信用のアンテナ、および復調器／変調器回路を有する。電気または電子装置のユーティリティを制御するために用いる場合、高周波コントローラ装置は低電力回路部を有し、前記低電力回路部を用いてＲＦ通信に応じてスイッチの状態を設定し、さらに対象と通信する全電力回路部を有する。この方法では、スイッチの状態は対象が電源オフ状態のときに設定でき、対象が起動されているとき対象はスイッチの状態を決定できる。
2008523506.tif 000002
【特許請求の範囲】
【請求項１】
対象インタフェースと、
対象インタフェースに接続したスイッチ素子と、
スイッチに動作可能なように接続した条件付き回路と、
条件付き回路に接続した変調器／復調器と、
変調器／復調器に接続したアンテナを有する高周波コントローラ装置。
【請求項２】
集積回路ＤＩＰ、表面実装パッケージとして構成するか、またはシリコン基板としてパッケージした請求項１記載の高周波コントローラ装置。
【請求項３】
さらに低電力ＲＦ回路部と、
全電力回路部と、
共有回路部を有し、
前記低電力回路部が共有回路部の状態を設定し、共有回路部の状態が全電力回路部の出力に影響を及ぼす請求項１記載の高周波コントローラ装置。
【請求項４】
低電力ＲＦ回路部が、
アンテナと、
変調器／復調器と、
条件付き回路を有し、
全電力回路部が
対象インタフェースを有し、
共有回路部が、
スイッチを有し、
前記低電力回路部がスイッチの状態を設定し、スイッチの状態が全電力回路部の出力に影響を及ぼす請求項３記載の高周波コントローラ装置。
【請求項５】
さらにメモリ、
条件付き回路、
スイッチ、
および対象インタフェースを含む内部モジュールと、
アンテナ、
および変調器／復調器を含む外部モジュールと、
内部モジュールと外部モジュールの間の接続を有する請求項１記載の高周波コントローラ装置。
【請求項６】
さらにメモリ、
条件付き回路、
スイッチ、
対象インタフェース、
および変調器／復調器を含む内部モジュールと、
アンテナを含む外部モジュールと、
内部モジュールと外部モジュールの間の接続を有する請求項１記載の高周波コントローラ装置。
【請求項７】
さらに、内部モジュールに電力を供給するための電源を有する請求項５または６記載の高周波コントローラ装置。
【請求項８】
さらに、外部モジュールに電力を供給するための電源を有する請求項５または６記載の高周波コントローラ装置。
【請求項９】
外部モジュールがさらに嵌合コネクタを有し、オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、標準コネクタ、カスタムコネクタ、およびバッテリコネクタからなるグループから選択したコネクタと嵌合するように、嵌合コネクタを構成した請求項５または６記載の高周波コントローラ装置。
【請求項１０】
電源ライン、データライン、ロジックライン、またはＲＦ信号ラインに接続するように接続を構成した請求項５または６記載の高周波コントローラ装置。
【請求項１１】
さらに、内部モジュールを外部モジュールに接続するためのコネクタを有し、
前記内部モジュールがコネクタ内にある請求項５または６記載の高周波コントローラ装置。
【請求項１２】
アンテナが、取り外し可能である請求項１記載の高周波コントローラ装置。
【請求項１３】
対象インタフェースが、ロジックライン、メモリ、制御ライン、または電源ラインである請求項１記載の高周波コントローラ装置。
【請求項１４】
対象インタフェースが透明基板であり、スイッチが透明基板上の変更実行素子である請求項１記載の高周波コントローラ装置。
【請求項１５】
変更実行素子が、透明基板上に配置した電気的に切り替え可能な光学材料である請求項１４記載の高周波コントローラ装置。
【請求項１６】
スイッチが変更実行素子であり、変更実行素子がメモリ値、電子的スイッチ、電気的スイッチ、機械的スイッチ、ヒューズ、電気機械的素子、化学的変化、電気光学フィルタ、光放射器、音声放射器、ＥＭ放射器、または電力コントローラである請求項１記載の高周波コントローラ装置。
【請求項１７】
さらに、条件付き回路で使用するためのキーを格納するメモリを有する請求項１記載の高周波コントローラ装置。
【請求項１８】
条件付き回路が、ロジック回路、プロセッサ、マイクロプロセッサ、マイクロコントローラ、または比較回路である請求項１記載の高周波コントローラ装置。
【請求項１９】
メモリが、不揮発性、消去不可能、変更不可能であるか、または外部から読み取ることができない請求項１記載の高周波コントローラ装置。
【請求項２０】
電力が、変調器／復調器、バッテリ、または対象装置への電力接続によって供給される請求項１記載の高周波コントローラ装置。
【請求項２１】
さらにハウジングと、
対象に取り付けるための取り付け手段を有する請求項１記載の高周波コントローラ装置。
【請求項２２】
取り付け手段が、接着剤、ボンディングパッド、取り外し可能な機械的接続、ロックする機械的接続、または回路ピンである請求項２１記載の高周波コントローラ装置。
【請求項２３】
さらに、アンテナを介して受信したデータを格納するための追加のメモリ、起動をカウントするための追加のメモリ、または条件付き回路で使用するための追加のメモリを有する請求項１記載の高周波コントローラ装置。
【請求項２４】
さらに、アンテナと変調器／復調器の間に接続した整合ネットワーク回路を有する請求項１記載の高周波コントローラ装置。
【請求項２５】
対象装置内のデータ、ロジック、または電源ラインに接続するように構成したスイッチと、
受信したＲＦ信号に応じて、スイッチの状態を設定するように構成した低電力回路と、
低電力回路に接続し、対象が電源オフ状態であるとき、低電力回路に電力を供給するために利用可能な電源を有するＲＦ装置であって、
前記対象が電源オフ状態であるとき、スイッチの状態が選択可能なように設定されるＲＦ装置。
【請求項２６】
さらに、低電力回路に接続したリモートＲＦアンテナを有する請求項２５記載のＲＦ装置。
【請求項２７】
さらに、低電力回路に接続した取り外し可能なＲＦアンテナを有する請求項２５記載のＲＦ装置。
【請求項２８】
スイッチが、変更実行素子である請求項２５記載のＲＦ装置。
【請求項２９】
電気的、電子的、光学的、音響的、電磁気的、ＲＦ、またはＩＲ送信を用いて対象装置にスイッチを接続した請求項２５記載のＲＦ装置。
【請求項３０】
スイッチが開状態または閉状態のいずれかに選択可能なように設定され、電子装置のリセットラインに接続するように構成される請求項２５記載のＲＦ装置。
【請求項３１】
対象装置内の動作回路に接続したスイッチと、
受信したＲＦ信号に応じてスイッチの状態を設定するように構成した低電力回路と、
低電力回路に接続し、対象がオフ状態であるとき、低電力回路に電力を供給するために利用可能な電源を含むＲＦ装置を有するＲＦ制御対象装置であって、
前記対象が電源オフ状態であるとき、スイッチの状態が選択可能なように設定されるＲＦ制御対象装置。
【請求項３２】
動作回路が、スイッチの状態に応じてユーティリティのレベルを操作する請求項３１記載のＲＦ制御対象装置。
【請求項３３】
さらに、低電力回路と動作回路の間に分離スイッチを有する請求項３１記載のＲＦ制御対象装置。
【請求項３４】
分離スイッチが、対象の電源オンに応じて開状態から閉状態に遷移する請求項３３記載のＲＦ制御対象装置。
【請求項３５】
ＲＦ装置がさらにリモートアンテナ部材上に取り付け、低電力回路に接続したＲＦアンテナを有する請求項３１記載のＲＦ制御対象装置。
【請求項３６】
さらに対象上にコネクタを有し、アンテナ部材を受け取る請求項３５記載のＲＦ制御対象装置。
【請求項３７】
コネクタが専用コネクタであり、低電力回路にＲＦアンテナを電気的に接続する請求項３６記載のＲＦ制御対象装置。
【請求項３８】
コネクタが標準機能コネクタであり、ＲＦアンテナを低電力回路に接続し、さらに対象内の動作回路に接続する請求項３６記載のＲＦ制御対象装置。
【請求項３９】
オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、標準コネクタ、カスタムコネクタ、およびバッテリコネクタからなるグループからコネクタを選択した請求項３８記載のＲＦ制御対象装置。
【請求項４０】
コンピュータ、ゲームコンソール、集積回路チップ、プロセッサ、カメラ、テレビジョン、電話機、ＰＤＡ（携帯情報端末）、計算機、携帯型音楽またはビデオ再生機、ゲーム機、電子制御機器または器具、時計、プリンタ、ファックス機、機械、計器、ステレオ、ＤＶＤ再生機、ビデオ受信機、およびコンピュータ周辺機器からなるグループから対象を選択した請求項３１記載のＲＦ制御対象装置。
【請求項４１】
対象上のコネクタと、
コネクタに接続し、第一周波数でコネクタを介して動作信号を受け取るように構成した動作回路と、
対象装置内の動作回路に接続した変更実行素子、
コネクタに接続し、変更信号に応じて変更実行素子の状態を設定するように構成した低電力回路、
低電力回路に接続し、対象が電源オフ状態のとき、低電力回路に電力を供給するために利用可能な電源を含むスイッチ素子を有し、
前記対象が電源オフ状態のとき、スイッチの状態が選択可能なように設定されるＲＦ制御対象装置。
【請求項４２】
さらにコネクタに接続したアンテナモジュールを有し、第二周波数で変更信号を提供する請求項４１記載のＲＦ制御対象装置。
【請求項４３】
アンテナモジュールがさらに復調器を有し、受信したＲＦ信号より低い周波数で変更信号を提供する請求項４２記載のＲＦ制御対象装置。
【請求項４４】
アンテナモジュールがさらに復調器を有し、約１Ｈｚ〜約１００ＭＨｚの範囲の周波数で変更信号を提供する請求項４２記載のＲＦ制御対象装置。
【請求項４５】
さらに分離ネットワークを有し、実質的に全ての変更信号を低電力回路に導き、実質的に全ての動作信号を動作回路に導く請求項４２記載のＲＦ制御対象装置。
【請求項４６】
コネクタがＡＣ電源コネクタであり、
動作回路が電源であり、
分離回路がコンデンサの組とコイルの組であり、ＡＣ電力をコネクタに提供するときＡＣ電力が電源に導かれ、アンテナ部材をコネクタに提供するとき変更信号が低電力回路に導かれる請求項４５記載のＲＦ制御対象装置。
【請求項４７】
コネクタがオーディオ入力ポートであり、
動作回路がオーディオ周波数範囲内の信号上で動作するオーディオ回路であり、
分離回路がオーディオ回路からのより高周波数の変更信号を短絡するシャントコンデンサと、変更信号電流からオーディオ回路を保護するクランプダイオードを有する請求項４５記載のＲＦ制御対象装置。
【請求項４８】
分離回路がさらにダイオードを有し、前記ダイオードが対象の電源によって逆バイアスされ、電源がオンのときオーディオ帯域信号が低電力回路に送られないようにする請求項４５記載のＲＦ制御対象装置。
【請求項４９】
コネクタがオーディオ出力ポートであり、
動作回路がオーディオ周波数範囲内の信号上で動作するオーディオ回路であり、
分離回路がオーディオ回路からのより高周波数の変更信号を遮断するオーディオ帯域通過フィルタと、変更信号電流からオーディオ回路を保護するクランプダイオードを有する請求項４５記載のＲＦ制御対象装置。
【請求項５０】
分離回路がさらにダイオードを有し、前記ダイオードが対象の電源によって逆バイアスされ、電源がオンのときオーディオ帯域信号が低電力回路に送られないようにする請求項４９記載のＲＦ制御対象装置。
【請求項５１】
コネクタがＤＣ電源コネクタであり、
動作回路がＤＣ電源ラインであり、
分離回路が電源ラインに接続したコイルを有し、ＤＣ電力がコネクタに提供されたときＤＣ電力を電源ラインに導き、アンテナ部材がコネクタに提供されたとき変更信号が電源から遮断される請求項４５記載のＲＦ制御対象装置。
【請求項５２】
分離回路がさらにダイオードを有し、前記ダイオードが対象の電源によって逆バイアスされ、電源がオンのときDC電力が低電力回路に送られないようにする請求項５１記載のＲＦ制御対象装置。
【請求項５３】
コネクタがビデオ信号を受け取るためのビデオ入力ポートであり、
動作回路がビデオ回路であり、
分離回路が対象の電源に応じて動作するスイッチ素子であり、対象が電源オフ状態であるときスイッチ素子が変更信号を低電力回路に導き、対象が電源オン状態であるときビデオ信号をビデオ回路に導く請求項４５記載のＲＦ制御対象装置。
【請求項５４】
対象インタフェースと、
対象インタフェースに接続したスイッチ素子と、
条件付き回路に接続した変調器／復調器と、
変調器／復調器に接続したアンテナを有する高周波起動装置。
【請求項５５】
集積回路ＤＩＰ、表面実装パッケージとして構成するか、またはシリコン基板としてパッケージした請求項５４記載の高周波起動装置。
【請求項５６】
さらに低電力ＲＦ回路部と、
全電力回路部と、
共有回路部を有し、
前記低電力回路部が共有回路部の状態を設定し、共有回路部の状態が対象ユーティリティを起動する請求項５４記載の高周波起動装置。
【請求項５７】
低電力ＲＦ回路部が、
アンテナと、
変調器／復調器を有し、
全電力回路部が、
対象インタフェースを有し、
共有回路部が、
スイッチを有し、
前記低電力回路部がスイッチの状態を設定し、スイッチの状態が対象ユーティリティを起動する請求項５６記載の高周波起動装置。
【請求項５８】
さらにメモリ、
スイッチ、
および対象インタフェースを含む内部モジュールと、
アンテナ、
および変調器／復調器を含む外部モジュールと、
内部モジュールと外部モジュールの間の接続を有する請求項５４記載の高周波起動装置。
【請求項５９】
さらにメモリ、
スイッチ、
対象インタフェース、
および変調器／復調器を含む内部モジュールと、
アンテナを含む外部モジュールと、
内部モジュールと外部モジュールの間の接続を有する請求項５４記載の高周波起動装置。
【請求項６０】
さらに電源を有し、外部モジュールに電力を供給する請求項５８または５９記載の高周波起動装置。
【請求項６１】
外部モジュールがさらに嵌合コネクタを有し、オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、標準コネクタ、カスタムコネクタ、およびバッテリコネクタからなるグループから選択したコネクタと嵌合するように、嵌合コネクタを構成した請求項５８または５９記載の高周波起動装置。
【請求項６２】
電源ライン、データライン、ロジックライン、またはＲＦ信号ラインに接続するように接続を構成した請求項５８または５９記載の高周波起動装置。
【請求項６３】
さらに、内部モジュールを外部モジュールに接続するためのコネクタを有し、
前記内部モジュールがコネクタ内にある請求項５８または５９記載の高周波起動装置。
【請求項６４】
アンテナが、取り外し可能である請求項５４記載の高周波起動装置。
【請求項６５】
対象インタフェースが、ロジックライン、メモリ、制御ライン、または電源ラインである請求項５４記載の高周波起動装置。
【請求項６６】
対象インタフェースが透明基板であり、スイッチが透明基板上の変更実行素子である請求項５４記載の高周波起動装置。
【請求項６７】
変更実行素子が、透明基板上に配置した電気的に切り替え可能な光学材料である請求項６６記載の高周波起動装置。
【請求項６８】
スイッチが変更実行素子であり、変更実行素子がメモリ値、電子的スイッチ、電気的スイッチ、機械的スイッチ、ヒューズ、電気機械的素子、化学的変化、電気光学フィルタ、光放射器、音声放射器、ＥＭ放射器、または電力コントローラである請求項５４記載の高周波起動装置。
【請求項６９】
電力が、変調器／復調器、バッテリ、または対象装置への電力接続によって供給される請求項５４記載の高周波起動装置。
【請求項７０】
さらにハウジングと、
対象に取り付けるための取り付け手段を有する請求項５４記載の高周波起動装置。
【請求項７１】
取り付け手段が、接着剤、ボンディングパッド、取り外し可能な機械的接続、ロックする機械的接続、または回路ピンである請求項７０記載の高周波起動装置。
【請求項７２】
さらに、アンテナと変調器／復調器の間に接続した整合ネットワーク回路を有する請求項５４記載の高周波起動装置。
【請求項７３】
対象装置内のデータ、ロジック、または電源ラインに接続するように構成したスイッチと、
受信したＲＦ信号に応じて、スイッチの状態を設定するように構成した起動回路と、
起動回路に接続し、対象が電源オフ状態であるとき起動回路に電力を供給するために利用可能な電源を有するＲＦ装置であって、
前記対象が電源オフ状態であるとき、スイッチの状態が選択可能なように設定されるＲＦ装置。
【請求項７４】
さらに、起動回路に接続したリモートＲＦアンテナを有する請求項７３記載のＲＦ装置。
【請求項７５】
さらに、起動回路に接続した取り外し可能なＲＦアンテナを有する請求項７３記載のＲＦ装置。
【請求項７６】
スイッチが、変更実行素子である請求項７３記載のＲＦ装置。
【請求項７７】
電気的、電子的、光学的、音響的、電磁気的、ＲＦ、またはＩＲ送信を用いて対象装置にスイッチを接続した請求項７３記載のＲＦ装置。
【請求項７８】
スイッチが開状態または閉状態のいずれかに選択可能なように設定され、電子装置のリセットラインに接続するように構成される請求項７３記載のＲＦ装置。
【請求項７９】
二つの状態だけを有し、対象装置内の動作回路に接続したスイッチと、
受信したＲＦ信号に応じてスイッチの状態を設定するように構成した起動回路と、
起動回路に接続し、対象が電源オフ状態であるとき、起動回路に電力を供給するために利用可能な電源を含むＲＦ装置を有するＲＦ起動対象装置であって、
前記対象が電源オフ状態であるときスイッチの状態が選択可能なように設定されるＲＦ起動対象装置。
【請求項８０】
スイッチが一方の状態であるとき動作回路が犠牲になり、スイッチが他方の状態であるとき機能的である請求項７９記載のＲＦ起動対象装置。
【請求項８１】
さらに、起動回路と動作回路の間に分離スイッチを有する請求項７９記載のＲＦ起動対象装置。
【請求項８２】
分離スイッチが、対象の電源オンに応じて開状態から閉状態に移行する請求項８１記載のＲＦ起動対象装置。
【請求項８３】
ＲＦ装置がさらに、リモートアンテナ部材上に取り付けて起動回路に接続したＲＦアンテナを有する請求項７９記載のＲＦ起動対象装置。
【請求項８４】
さらに対象上にコネクタを有し、アンテナ部材を受け取る請求項８３記載のＲＦ起動対象装置。
【請求項８５】
コネクタが専用コネクタであり、起動回路にＲＦアンテナを電気的に接続する請求項８４記載のＲＦ起動対象装置。
【請求項８６】
コネクタが標準機能コネクタであり、ＲＦアンテナを起動回路に接続し、さらに対象内の動作回路に接続する請求項８４記載のＲＦ起動対象装置。
【請求項８７】
オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、標準コネクタ、カスタムコネクタ、およびバッテリコネクタからなるグループからコネクタを選択した請求項８４記載のＲＦ起動対象装置。
【請求項８８】
コンピュータ、ゲームコンソール、集積回路チップ、プロセッサ、カメラ、テレビジョン、電話機、ＰＤＡ（携帯情報端末）、計算機、携帯型音楽またはビデオ再生機、ゲーム機、電子制御機器または器具、時計、プリンタ、ファックス機、機械、計器、ステレオ、ＤＶＤ再生機、ビデオ受信機、およびコンピュータ周辺機器からなるグループから対象を選択した請求項７９記載のＲＦ起動対象装置。
【請求項８９】
対象上のコネクタと、
コネクタに接続し、第一周波数でコネクタを介して動作信号を受け取るように構成した動作回路と、
対象装置内の動作回路に接続した変更実行素子、
コネクタに接続し、起動信号に応じて変更実行素子の状態を設定するように構成した起動回路、
起動回路に接続し、対象が電源オフ状態のとき起動回路に電力を供給するために利用可能な電源を含むスイッチ素子を有し、
前記対象が電源オフ状態のとき、スイッチの状態が選択可能なように設定されるＲＦ制御対象装置。
【請求項９０】
さらにコネクタに接続したアンテナモジュールを有し、第二周波数で起動信号を提供する請求項８９記載のＲＦ起動対象装置。
【請求項９１】
アンテナモジュールがさらに復調器を有し、受信したＲＦ信号より低い周波数で起動信号を提供する請求項８９記載のＲＦ起動対象装置。
【請求項９２】
アンテナモジュールがさらに復調器を有し、約１Ｈｚ〜約１００ＭＨｚの範囲の周波数で起動信号を提供する請求項８９記載のＲＦ起動対象装置。
【請求項９３】
さらに分離回路を有し、実質的に全ての起動信号を起動回路に導き、実質的に全ての動作信号を動作回路に導く請求項８９記載のＲＦ起動対象装置。
【請求項９４】
コネクタがＡＣ電源コネクタであり、
動作回路が電源であり、
分離回路がコンデンサの組とコイルの組であり、ＡＣ電力をコネクタに提供するときＡＣ電力が電源に導かれ、アンテナ部材をコネクタに提供するとき起動信号が起動回路に導かれる請求項９３記載のＲＦ起動対象装置。
【請求項９５】
コネクタがオーディオ入力ポートであり、
動作回路がオーディオ周波数範囲内の信号上で動作するオーディオ回路であり、
分離回路がオーディオ回路からのより高周波数の変更信号を短絡するシャントコンデンサと、起動信号電流からオーディオ回路を保護するクランプダイオードを有する請求項９３記載のＲＦ起動対象装置。
【請求項９６】
分離回路がさらにダイオードを有し、前記ダイオードが対象の電源によって逆バイアスされ、電源がオンのときオーディオ帯域信号が起動回路に送られないようにする請求項９５記載のＲＦ起動対象装置。
【請求項９７】
コネクタがオーディオ出力ポートであり、
動作回路がオーディオ周波数範囲内の信号上で動作するオーディオ回路であり、
分離回路がオーディオ回路からのより高周波数の変更信号を遮断するオーディオ帯域通過フィルタと、起動信号電流からオーディオ回路を保護するクランプダイオードを有する請求項９３記載のＲＦ起動対象装置。
【請求項９８】
分離回路がさらにダイオードを有し、前記ダイオードが対象の電源によって逆バイアスされ、電源がオンのときオーディオ帯域信号が起動回路に送られないようにする請求項９７記載のＲＦ起動対象装置。
【請求項９９】
コネクタがＤＣ電源コネクタであり、
動作回路がＤＣ電源ラインであり、
分離回路が電源ラインに接続したコイルを有し、ＤＣ電力がコネクタに提供されたときＤＣ電力を電源ラインに導き、アンテナ部材がコネクタに提供されたとき起動信号が電源から遮断される請求項９３記載のＲＦ起動対象装置。
【請求項１００】
分離回路がさらにダイオードを有し、前記ダイオードが対象の電源によって逆バイアスされ、電源がオンのときＤＣ電力が起動回路に送られないようにする請求項９９記載のＲＦ起動対象装置。
【請求項１０１】
コネクタがビデオ信号を受け取るためのビデオ入力ポートであり、
動作回路がビデオ回路であり、
分離回路が対象の電源に応じて動作するスイッチ素子であり、対象が電源オフ状態であるときスイッチ素子が起動信号を起動回路に導き、対象が電源オン状態であるときビデオ信号をビデオ回路に導く請求項９３記載のＲＦ起動対象装置。
【請求項１０２】
識別子を格納するロジック／メモリブロックと、
ロジック／メモリブロックに接続した復調器と、
ロジック／メモリブロックから離れて間隙を介したアンテナと、
ロジック／メモリブロックにアンテナを接続するコネクタを有する対象用の高周波識別装置。
【請求項１０３】
さらに、ロジック／メモリブロックを含む第一分離モジュールと、
アンテナおよび復調器を含む第二分離モジュールを有し、
前記第一モジュールが第二モジュールから間隙を介している請求項１０２記載の高周波識別装置。
【請求項１０４】
復調器が、ロジック／メモリブロックを駆動するための電力を提供する請求項１０２記載の高周波識別装置。
【請求項１０５】
さらに、対象のハウジング内に設置するように構成し、ロジック／メモリブロックを含む内部モジュールと、
対象のハウジング外に設置するように構成し、アンテナを含む外部モジュールを有する請求項１０２記載の高周波識別装置。
【請求項１０６】
外部モジュールが、さらに復調器を含む請求項１０５記載の高周波識別装置。
【請求項１０７】
外部モジュールが、さらにバッテリを有する請求項１０５記載の高周波識別装置。
【請求項１０８】
外部モジュールがさらに復調器を有し、受信したエネルギの少なくとも一部を電力に変換する際に復調器を用いる請求項１０５記載の高周波識別装置。
【請求項１０９】
集積回路チップＤＩＰ、印刷タグ、または表面実装電子パッケージとして内部モジュールを構成した請求項１０５記載の高周波識別装置。
【請求項１１０】
取り外し可能なプラグ、または離脱モジュールとして外部モジュールを構成した請求項１０５記載の高周波識別装置。
【請求項１１１】
内部モジュールをコネクタと一体的に構成した請求項１０５記載の高周波識別装置。
【請求項１１２】
対象のハウジングにコネクタを取り付け、
対象のハウジング外にアンテナを配置し、
オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、標準コネクタ、カスタムコネクタ、およびバッテリコネクタからなるグループから前記コネクタを選択した請求項１０２記載の高周波識別装置。
【請求項１１３】
さらに、アンテナに接続した嵌合アダプタを有し、コネクタによって受け取り、ロジック／メモリブロックにアンテナを電気的に接続するように嵌合アダプタを構成した請求項１１２記載の高周波識別装置。
【請求項１１４】
嵌合アダプタとコネクタが協調し、所定の位置にアンテナを向けるか、または対象のハウジングからアンテナを離して配置する請求項１１３記載の高周波識別装置。
【請求項１１５】
さらに、アンテナとロジック／メモリブロックの間に分離回路を有する請求項１１２記載の高周波識別装置。
【請求項１１６】
分離回路が、受動型周波数選択回路または能動型スイッチ回路である請求項１１５記載の高周波識別装置。
【請求項１１７】
識別子を格納するロジック／メモリブロックと、
ロジック／メモリブロックに接続した変調器／復調器と、
変調器／復調器に接続した別個の外部から利用可能なアンテナを有する対象用の高周波識別装置。
【請求項１１８】
外部から利用可能なアンテナが、取り外し可能である請求項１１７記載の高周波識別装置。
【請求項１１９】
取り外し可能なアンテナが摩擦的に取り外し可能であるか、または破壊可能な離脱を行うように構成した請求項１１８記載の高周波識別装置。
【請求項１２０】
アンテナがアンテナ部材上にあり、復調器をアンテナモジュール上に配置した請求項１１７記載の高周波識別装置。
【請求項１２１】
さらに、アンテナ部材上に電源を有する請求項１２０記載の高周波識別装置。
【請求項１２２】
アンテナがアンテナ部材上にあり、人間によって操作されるようなサイズにアンテナ部材を形成した請求項１１７記載の高周波識別装置。
【請求項１２３】
ＲＦエネルギの変換から導かれた電力を提供する際に、復調器を用いた請求項１１７記載の高周波識別装置。
【請求項１２４】
さらに、電源を有する請求項１１７記載の高周波識別装置。
【請求項１２５】
さらに、アンテナと変調器／復調器の間に整合回路を有する請求項１１７記載の高周波識別装置。
【請求項１２６】
第一対象位置におけるＲＦＩＤ回路と、
間隙を介した第二対象位置におけるＲＦＩＤアンテナを有し、ＲＦＩＤアンテナをＲＦＩＤ回路に電気的に接続したＲＦＩＤ対応の対象。
【請求項１２７】
ＲＦＩＤ回路とＲＦＩＤアンテナが、別個の基板上にある請求項１２６記載のＲＦＩＤ対応の対象。
【請求項１２８】
第一対象位置が対象内にあり、
第二対象位置が対象外にあるか、または対象の外面に取り付けられている請求項１２６記載のＲＦＩＤ対応の対象。
【請求項１２９】
取り外し可能なアンテナ部材上に、ＲＦＩＤアンテナを取り付けた請求項１２８記載のＲＦＩＤ対応の対象。
【請求項１３０】
さらに、アンテナ部材上に復調回路を有する請求項１２９記載のＲＦＩＤ対応の対象。
【請求項１３１】
さらに、アンテナ部材を受け取り、アンテナをＲＦＩＤ回路に電気的に接続するためのコネクタを有する請求項１２９記載のＲＦＩＤ対応の対象。
【請求項１３２】
コネクタが専用ＲＦＩＤコネクタであり、ＲＦＩＤアンテナをＲＦＩＤ回路に電気的に接続する請求項１３１記載のＲＦＩＤ対応の対象。
【請求項１３３】
コネクタが標準機能コネクタであり、ＲＦアンテナをＲＦＩＤ回路に接続し、さらに対象内の動作回路に接続する請求項１３１記載のＲＦＩＤ対応の対象。
【請求項１３４】
オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、およびバッテリコネクタからなるグループからコネクタを選択した請求項１３３記載のＲＦＩＤ対応の対象。
【請求項１３５】
コンピュータ、ゲームコンソール、集積回路チップ、プロセッサ、カメラ、テレビジョン、電話機、ＰＤＡ（携帯情報端末）、計算機、携帯型音楽またはビデオ再生機、ゲーム機、電子制御機器または器具、時計、プリンタ、ファックス機、機械、計器、およびコンピュータ周辺機器からなるグループから対象を選択した請求項１２６記載のＲＦＩＤ対応の対象。
【請求項１３６】
対象が、製品パッケージである請求項１２６記載のＲＦＩＤ対応の対象。
【請求項１３７】
対象が有形媒体製品用のパッケージであり、チケット、クーポン、引換券、クレジットカード、製品ラベルおよびタグ、セキュリティ装置、メモリカード、取り外し可能なコンピュータストレージ、光ディスク、ＤＶＤ、ＣＤ、およびゲームカートリッジからなるグループから有形媒体製品を選択した請求項１２６記載のＲＦＩＤ対応の対象。
【請求項１３８】
ＲＦＩＤ対応の対象を製造するための方法であって、
ＲＦ電磁波から遮蔽された位置において対象内にＲＦ回路を設置し、
ＲＦ電磁波を適切に受け取るように選択した位置においてＲＦＩＤアンテナを設置し、
ＲＦＩＤ回路をＲＦＩＤアンテナに接続する方法。
【請求項１３９】
接続するステップが、対象上に取り付けたコネクタにアンテナを接続することを含む請求項１３８記載の方法。
【請求項１４０】
接続するステップが、オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、およびバッテリコネクタからなるグループから選択した標準コネクタにアンテナを接続することを含む請求項１３８記載の方法。
【請求項１４１】
ＲＦＩＤアンテナと、
ＲＦＩＤアンテナに接続した嵌合アダプタを有するＲＦＩＤアンテナ部材であって、オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、標準コネクタ、カスタムコネクタ、およびバッテリコネクタからなるグループから選択したコネクタ内に受け取るように嵌合アダプタを構成したＲＦＩＤアンテナ部材。
【請求項１４２】
さらに電源を有し、バッテリまたはＲＦ電力変換器であるように電源を選択した請求項１４１記載のＲＦＩＤアンテナ部材。
【請求項１４２】
さらに、復調回路を有する請求項１４１記載のＲＦＩＤアンテナ部材。
【請求項１４３】
データ入力ライン、および処理したデータ出力ラインを備えたデータ処理ロジックを選択的に起動するように構成したスイッチ、
スイッチに接続した復調器／変調器、
および復調器／変調器に接続したアンテナをさらに含み、
前記スイッチがＲＦ信号の受け取りに応じて、データ処理ロジックを起動する高周波コントローラ装置と、
データをデータ入力ラインに送信し、
送信したデータを用いて期待されるデータを生成し、
データ出力ラインから修正したデータを受信し、
修正したデータを期待されるデータと比較し、
比較に応じてプロセッサを動作させることを含むステップを動作させるプロセッサを有するＲＦ制御対象。
【請求項１４４】
修正したデータが期待されるデータに適合する場合、プロセッサを動作させることがプロセッサの全機能を起動することを含む請求項１４３記載のＲＦ制御対象。
【請求項１４５】
修正したデータが期待されるデータに適合しない場合、プロセッサを動作させることがプロセッサの全機能に満たないものを起動することを含む請求項１４３記載のＲＦ制御対象。
【請求項１４６】
修正したデータが期待されるデータに適合しない場合、プロセッサを動作させることがプロセッサの機能のいずれかを起動しないことを含む請求項１４３記載のＲＦ制御対象。
【請求項１４７】
データ処理ロジックと期待されるデータを生成するステップが協調し、対称暗号化プロセスを実装する請求項１４３記載のＲＦ制御対象。
【請求項１４８】
データ処理ロジックと期待されるデータを生成するステップが協調し、非対称暗号化プロセスを実装する請求項１４３記載のＲＦ制御対象。
【請求項１４９】
さらに、スイッチに動作可能なように接続した条件付き回路を有する請求項１４３記載のＲＦ制御対象。
【請求項１５０】
高周波コントローラ装置を集積回路ＤＩＰ、表面実装パッケージとして構成するか、またはシリコン基板としてパッケージした請求項１４３記載のＲＦ制御対象。
【請求項１５１】
スイッチが変更実行素子であり、変更実行素子がメモリ値、電子的スイッチ、電気的スイッチ、機械的スイッチ、ヒューズ、電気機械的素子、化学的変化、電気光学フィルタ、光放射器、音声放射器、ＥＭ放射器、または電力コントローラである請求項１４３記載のＲＦ制御対象。
【請求項１５２】
さらに、条件付き回路で使用するためのキーを格納するメモリを有する請求項１４３記載のＲＦ制御対象。
【請求項１５３】
条件付き回路が、ロジック回路、プロセッサ、マイクロプロセッサ、マイクロコントローラ、または比較回路である請求項１４３記載のＲＦ制御対象。
【請求項１５４】
プロセッサが、マイクロプロセッサ、マイクロコントローラ、デジタル信号プロセッサ、または組み込みコントローラである請求項１４３記載のＲＦ制御対象。
【請求項１５５】
対象内に、プロセッサと高周波コントローラ装置を設置した請求項１４３記載のＲＦ制御対象。
【請求項１５６】
対象内にプロセッサとスイッチを設置し、対象外にアンテナがある請求項１４３記載のＲＦ制御対象。
【請求項１５７】
対象を制御する方法であって、
ＲＦ信号の受信に応じて対象内のスイッチを起動し、
スイッチが起動された場合だけデータ処理プロセスを動作させ、
対象内の装置からデータ処理プロセスにデータを送信し、
期待されるデータを装置で生成し、
データ処理プロセスから修正したデータを受信し、
修正したデータを期待されるデータと比較し、
比較に従って装置を動作させる方法。
【請求項１５８】
起動ステップが、スイッチを起動状態に恒久的に設定する請求項１５７記載の方法。
【請求項１５９】
データ処理プロセスが生成ステップと協調し、対称暗号化プロセスを実装する請求項１５７記載の方法。
【請求項１６０】
データ処理プロセスが生成ステップと協調し、非対称暗号化プロセスを実装する請求項１５７記載の方法。
【請求項１６１】
装置が、マイクロプロセッサ、マイクロコントローラ、デジタル信号プロセッサ、または組み込みコントローラである請求項１５７記載の方法。
【請求項１６２】
修正したデータが期待されるデータに適合する場合、装置を動作させることが装置の全機能を起動することを含む請求項１５７記載の方法。
【請求項１６３】
修正したデータが期待されるデータに適合しない場合、装置を動作させることが装置の全機能に満たないものを起動することを含む請求項１５７記載の方法。
【請求項１６４】
さらに、装置において期待されるデータの組を生成し、
期待されるデータの組のいずれか一つが修正したデータに適合するかどうかを決定し、
適合した期待されるデータに関連した機能に従って、装置を動作させる請求項１５７記載の方法。
【請求項１６５】
プロセッサを制御するためのシステムであって、
コントローラ装置と、
コントローラ装置に接続し、
コントローラ装置のデータ入力ラインにデータを送信し、
コントローラ装置のデータ出力ラインからの戻りデータを受信し、
戻りデータに従う機能レベルにおいてプロセッサを動作させることを含むステップを動作させるプロセッサを有するシステム。
【請求項１６６】
プロセッサがさらに、戻りデータを期待されるデータと比較するステップを動作させ、戻りデータが期待されるデータに適合しない場合、プロセッサの動作を制限する機能レベルでプロセッサを動作させる請求項１６５記載のシステム。
【請求項１６７】
プロセッサがさらに、戻りデータを期待されるデータと比較するステップを動作させ、戻りデータが期待されるデータに適合しない場合、プロセッサのブートを許可しない機能レベルでプロセッサを動作させる請求項１６５記載のシステム。
【請求項１６８】
プロセッサがさらに、戻りデータを期待されるデータと比較するステップを動作させ、戻りデータが期待されるデータに適合する場合、プロセッサの全機能を可能にする機能レベルでプロセッサを動作させる請求項１６５記載のシステム。
【請求項１６９】
コントローラ装置とプロセッサが、同じ対象装置内にある請求項１６５記載のシステム。
【請求項１７０】
同じプリント回路基板上に、コントローラ装置とプロセッサを取り付けた請求項１６５記載のシステム。
【請求項１７１】
コントローラ装置が高周波コントローラ装置であり、高周波コントローラ装置がＲＦ信号の受信に応じて設定されるスイッチを有する請求項１６５記載のシステム。
【請求項１７２】
異なるプリント回路基板上に、コントローラ装置とプロセッサを取り付けた請求項１６５記載のシステム。
【請求項１７３】
プロセッサがさらに、戻りデータを生成するステップを動作させる請求項１６５記載のシステム。
【請求項１７４】
コントローラ装置が、戻りデータを生成するためのデータ上でデータ処理プロセスを動作させる請求項１６５記載のシステム。
【請求項１７５】
コントローラ装置がスイッチを有し、スイッチが起動されたときだけデータ処理プロセスが動作する請求項１７４記載のシステム。
【請求項１７６】
ＲＦ信号を受信するコントローラ装置に応じて、スイッチを起動する請求項１７５記載のシステム。
【請求項１７７】
ＲＦ信号を受信するコントローラ装置に応じて、スイッチを恒久的に起動する請求項１７６記載のシステム。
【発明の詳細な説明】
【技術分野】
【０００１】
この出願は、米国仮特許出願番号６０／６３３，９７１、出願日２００４年１２月７日、発明の名称「対象のＲＦ起動方法および手段」、米国仮特許出願番号６０／６５４，３８４、出願日２００５年２月１８日、発明の名称「対象のＲＦ起動の方法および手段」、米国特許出願１１／２５９，５７８号、出願日２００５年１０月２６日、発明の名称「対象ユーティリティの選択的制御用の方法およびシステム」、米国特許出願１１／２５９，１８５号、出願日２００５年１０月２６日、発明の名称「対象ユーティリティの選択的制御用の方法およびネットワーク」に対して優先権を主張し、それらは全て全体として述べられているかのように参照によってここで組み込まれる。
【０００２】
この発明は、ＲＦ通信を用いて、そのユーティリティを制御可能にする対象に関する。特定の例では、この発明は高周波（ＲＦ）装置を用い、電子装置または光学媒体などの耐久財に利用可能なユーティリティのレベルを設定するための処理を行う。
【背景技術】
【０００３】
供給網の管理は、大部分の製造業者、配送業者、小売り業者の懸念事項になっている。製品の効率的なチェックアウトを促進するために、製造業者は多くの消費財上にバーコードラベルを配置している。同様に、製造業者および配送業者は、配送効率を改善するために、バーコードラベル付きの製品のパレットにもラベルを付けている。
【発明の開示】
【発明が解決しようとする課題】
【０００４】
しかし、バーコード読み取り器は見通し環境で読み取りを行う必要があり、例えば、パレットの真ん中の製品、または消費者のカート内に埋まった製品は計上できない。ＲＦＩＤ（高周波識別）システムは、製品をＲＦＩＤタグでラベル付けすることによってこの問題を克服している。ＲＦＩＤタグを製品に取り付け、関連のＲＦ読み取り器で問い合わせを行うと、その識別番号を応答する。この方法では、製品は、見通し環境内の走査を必要とすることなく識別および追跡できる。残念ながら、ＲＦＩＤタグ自体の比較的高コスト、およびＲＦＩＤタグの読み取りの限界のために、ＲＦＩＤの採用は遅れている。例えば、ＲＦＩＤタグは見通し環境内の走査を必要としないが、低レベルのＲＦ信号を送受信する位置にＲＦＩＤタグが存在しなければならない。これは、ＲＦＩＤラベルを製品パッケージ上に配置可能な場所を限定するだけでなく、ＲＦ読み取り器からラベルが遮断される位置に製品が配置されると、エラーを引き起こす。
【０００５】
製品の流通においては、盗難も重要で大きな問題となっている。一例では、電子装置のサイズは小さくなり続けているが、それらのユーティリティは増大している。これらの電子装置がより小さく高機能になるほど、それらは盗難を容易にし誘引しやすくする。デジタルカメラ、ＤＶＤ再生機、ＭＰ３再生機、およびゲーム機などの装置は、小売り店内で消費者によってだけでなく、流通網で他者によっても盗難の一般的な対象となっている。例えば、小売り店の従業員、配送業者、倉庫業者、および製造業者の従業員でさえ製品を盗難することがよくあり、自分で使用したり販売するために製品の箱ごと盗難することさえある。ＤＶＤ、ＣＤ、ゲームディスク、ゲームカートリッジ、および他の種類の媒体などの他の種類の製品も盗難に遭うことがある。これらの種類の製品も需要が多く、比較的小さく価値があり、盗難が容易で誘引しやすい。
【０００６】
それらを製造する施設から、それらが販売される小売りの販売時点まで、多くの高価な消費財は盗難に遭いやすい。損失を最小化するために、様々なセキュリティ技術が用いられている（ビデオカメラ、警備員、電子タグ、鍵付きのキャビネット内に高価な賞品を保管するなど）。これらの努力にもかかわらず、ＤＶＤ、ＣＤおよびビデオゲーム、携帯型ビデオゲーム機、ＤＶＤ再生機、デジタルカメラ、コンピュータ、プリンタ、テレビジョンなどの高価な対象の盗難は、製造業者および小売り業者に年間数十億ドルの負担をかけている。
【０００７】
このような横行する盗難は、製品の製造、配送、および販売コストを増大させる。流通網内の各実体は盗難の危険性があり、盗難の水準を低下させるか制御するために対策を講じなければならない。このコストは最終的には正当な購入者によって担われ、それは購入した製品に不公平な「盗難税」を課す。また、製品は小売り環境から容易に盗難されるので、小売り業者は製品を守るために特別な対策を講じなければならない。例えば、ＤＶＤ、ＣＤ、および小型の電子装置は、それらを隠すことをより困難にするために、過大なホルダ内にパッケージされることがある。しかし、これらのホルダは消費者が製品に触れられなくし、最終的には製品を消費者にとって魅力がないものにする。別の例では、小売り店は、それらの最も価値があり容易に盗難される製品を鍵のかかったケース内に配置できる。この方法では、最終消費者はこれらの製品から完全に遠ざけられ、そのことは盗難を低減するが、製品の購入を困難にもする。消費者はこのように鍵をかけて保管された製品上のラベルを全て読むことができず、それらに物理的に触れることもできず、製品に近づくために、鍵を持っているかもしれない小売り店員の注意を引かなければならない。別の試行された解決策では、小売り店は製品上にセキュリティタグを配置し、前記タグは購入時にレジで無効になるように意図されている。消費者が動作中のタグを持って店舗を離れると、アラームが鳴る。警備員または店員はその消費者を止め、消費者が製品を万引きしたかどうかを決定することを期待される。このプロセスは警備員または店員にとって危険なことがあり、誤ってアラームが鳴ることも多いので、法に従っている消費者にとって元に戻すストレスを引き起こす。
【０００８】
小売り店での盗難を止めるためのこれらの試行はどれも機能しておらず、全てが小売り店での経験を消費者にとって魅力的でないものにする。この方法では、消費者に報いるための魅力的で好ましい小売り環境を維持するために、小売業者は所定の（ときにはかなりの）レベルの盗難に適応し許容しなければならない受け入れがたい立場にある。さらに、過大なホルダ、鍵をかけたケース、警備員はどれも、製造業者のドックから小売り店の棚の間で発生するかなりのレベルの盗難には対処できない。従って、流通網全体が「許容可能な」レベルの盗難に委ねられ、正当な消費者に盗難のコストを回している。
【０００９】
製品の流通は、他の難題にも直面している。例えば、消費者は特定の組の機能またはユーティリティを有する製品を選択したいと思い、その所定の必要性に適合する製品を購入するのが好ましいと思う。従って、製造業者はしばしばいくつかの異なるモデルで製品を製造し、各モデルが異なる組の機能を有するようにする。これは消費者の立場からは望ましいが、製造、配送、在庫、陳列、および小売りでのプロセスを複雑にする。この問題は、例えば、電子製品、コンピュータ、ゲームシステム、ＤＶＤ、ＣＤ、ゲームカートリッジなどの構成に存在する。具体的な例では、ＤＶＤ映画ディスクは、家庭版、劇場版、および「ノーカット」版で入手できることがある。各々が異なる年齢制限を有し、異なる重要な市場の興味を引き付ける。従って、三つの異なるバージョンを製造、配送、在庫、陳列、および管理しなければならない。同様の問題は、ゲーム、コンピュータ、および他の製品の機能の組にも存在する。
【００１０】
難問は、市販されていない商品の流通の場合にも存在する。例えば、軍隊は、盗難や誤用に曝される武器や道具を格納、輸送、および保持している。これらの武器や道具は素早く展開および使用するために利用可能でなければならないにもかかわらず、十分に管理し、敵の手に渡ったり、軍の命令で許可されない方法で使用されないようにしなければならない。
【課題を解決するための手段】
【００１１】
簡潔にいうと、この発明は、ＲＦ通信を用いて対象ユーティリティを制御可能な高周波コントローラ装置を提供する。高周波コントローラ装置は、ＲＦ通信に応じて所定の状態に設定されるスイッチを有する。より詳細には、条件付きロジック回路がＲＦ通信を用いて、対象ユーティリティを変更すべきかどうかを決定し、それに応じてスイッチの状態を設定する。高周波コントローラ装置はさらに対象インタフェースを有し、前記対象インタフェースによって対象はスイッチの状態を決定し、スイッチの状態に基づいて対象に対して異なるユーティリティが利用可能になる。高周波コントローラ装置はさらに、ＲＦ通信用のアンテナ、および復調器／変調器回路を有する。電気または電子装置のユーティリティを制御するために用いる場合、高周波コントローラ装置は低電力回路部を有し、前記低電力回路部を用いてＲＦ通信に応じてスイッチの状態を設定し、さらに対象と通信する全電力回路部を有する。この方法では、スイッチの状態は対象が電源オフ状態のときに設定でき、対象が起動されているとき、対象はスイッチの状態を決定できる。
【００１２】
一構成では、高周波コントローラ装置は対象内の内部モジュールと、対象外の外部モジュールを有する。外部モジュールはアンテナを有し、アンテナは堅牢に提供されたＲＦ通信を可能にする。外部モジュールは、カスタムコネクタ、電源コネクタ、オーディオコネクタ、またはビデオコネクタなどのコネクタを介して、対象に電気的、機械的に接続できる。場合によっては、コネクタはＲＦ信号を十分に通過できず、ＲＦ信号は外部モジュール上の回路を用いてより低い周波数に復調される。また、いくつかの標準コネクタも対象の動作回路に接続する可能性があり、外部モジュールと内部モジュール間で信号を適切に導くために分離回路も役立つことできる。分離回路は対象回路の影響から高周波コントローラ装置の回路を保護するためにも、高周波コントローラ装置の影響から対象回路を保護するためにも役立つことができる。高周波コントローラ装置は、例えば、集積回路ＤＩＰパッケージ、表面実装パッケージ、シリコン基板、またはプリント回路として構成できる。
【００１３】
好ましくは、開示される高周波コントローラ装置によって、ＲＦ装置は対象ユーティリティを選択的に変更できる。高周波コントローラ装置は電気または電子装置などの対象内に容易に組み込むことができ、適用可能な製造プロセス、柔軟な流通会計、および利便性拒否のセキュリティシステムを可能にする。高周波コントローラ装置は一般的に用いられる表面実装またはＤＩＰパッケージとして構成できるので、多くの電子、電気、および媒体装置内に経済的に設置できる。また、高周波コントローラ装置は単一のパッケージとして構成することも、外部モジュールに接続した内部モジュールとして構成することもでき、装置部品の柔軟な配置を可能にする。この方法では、ＲＦ通信機能を必要とする部品は、ＲＦ受信が改善された領域に配置できる。アンテナまたは他のＲＦに敏感な部品を他のロジック回路から分離することによって、より堅牢な検出を可能にする。また、配置の柔軟性を改善することによって、広範囲の製品に対してＲＦ制御機能を可能にし、より美的に魅力的な部品構成を可能にする。例えば、高周波コントローラ装置の外から見える部分をより小さく目立たなくし、メモリおよびロジック部を視野外の場所に配置できる。
【発明を実施するための最良の形態】
【００１４】
ここで図１を参照すると、対象装置１０が示されている。対象装置１０は、対象のハウジング１２内に高周波起動（ＲＦＡ）装置１４を有する。ＲＦＡ装置は、対象ユーティリティ１０を制御するために用いられる。製造を容易にするために、ＲＦＡ装置１４は大量生産に便利なパッケージ内に提供される。例えば、ＲＦＡ装置は集積回路パッケージの形態であっても、表面実装装置の形態であってもよい。どちらにしても、ＲＦＡ装置は対象回路またはロジック内に容易に設計でき、プリント回路基板または他の基板上に容易に設置できる。この方法では、ＲＦＡ装置は、費用対効果の高い方法で対象装置と共に含められる。当然のことながら、ＲＦＡ装置は、他の製造しやすい形態で提供することもできる。
【００１５】
対象１０は、コンピュータ、ＴＶ、電気器具、ＭＰ３再生機、カメラ、ゲームコンソール、または玩具などの電子装置であってもよい。別の例では、対象は、光ディスク、ＤＶＤ、ＣＤ、またはゲームカートリッジなどの有形媒体であってもよい。対象１０の製造または作製中、ＲＦＡ装置１４は、対象ユーティリティを制御可能な方法で対象内に組み込まれる。例えば、ＲＦＡ装置１４はスイッチ３１を有し、スイッチ３１は対象のあるユーティリティ１６に接続する。スイッチは対象インタフェースを介してユーティリティ１６に接続し、前記対象インタフェースはロジックライン、電源ライン、制御ライン、マルチラインインタフェース、またはメモリ位置であってもよい。さらに、当然のことながら、対象インタフェースは、ＲＦＡ装置の物理的形態に従って選択できる。例えば、ＲＦＡ装置が集積回路ＤＩＰパッケージである場合、対象インタフェースは対象のプリント回路基板内の配線に接続したＩＣピンを有することができる。表面実装形態の場合、対象インタフェースは、プリント回路基板または他の基板へのパッド接点を有することができる。
【００１６】
スイッチ３１は受信したデータに従ってＲＦＡ装置によって設定され、対象にとって利用可能または対象を利用するためのユーティリティを制御するために用いられる。より詳細には、スイッチ３１は複数の状態を有し、各状態は対象ユーティリティの利用可能な状態に関連付けられている。具体的な用途では、スイッチはユーティリティの二つの利用可能な状態の間で切り替え可能であってもよい。動作中、ＲＦＡ装置は二つの別個のシステムの間のインタフェースとして機能する。第一に、ＲＦＡ装置は低電力ＲＦ回路を有し、前記低電力ＲＦ回路は低電力ＲＦ源からデータを受信するように構成され、ＲＦ源から受け取った電力を用いて、対象がそのユーティリティの変更を許可されているかどうかを決定する。許可されていれば、ＲＦＡ装置はその低電力回路を用いて、スイッチを許可された状態に設定する。第二システムは、対象電子装置の全電力回路である。この全電力対象ユーティリティ回路は、例えば、マイクロプロセッサ、電源、メモリシステム、および他の電気および電子部品を有することができる。対象ユーティリティ回路は、スイッチの状態に従って動作可能になるように、スイッチに接続する。例えば、対象が起動されるたびに、対象ユーティリティ回路はスイッチの状態をテストし、スイッチの状態に応じて、特定のレベルのユーティリティを提示する。より簡潔にいうと、スイッチの状態は低電力回路を用いて設定され、それは全電力回路が利用できるユーティリティを設定する。一般的な場合、ＲＦＡ装置は全電力回路から電力を供給することもできる。他の場合、ＲＦＡ装置は対象が動作しているとき受動型のままであってもよい。
【００１７】
対象１０が流通網に入ると、対象１０は一つのユーティリティを有するように設定される。例えば、このユーティリティは厳しく構成されたユーティリティであってもよく、ここでは対象は有用な機能を利用できない。別の例では、ユーティリティは、限られた実演機能を可能な実演ユーティリティに設定できる。当然のことながら、利用可能なユーティリティは、特定の流通網の要件に従って設定できる。流通網のある時点では、例えば、対象を消費者に送るとき、利用可能なユーティリティを変更できることが望ましい。従って、対象が販売時点の起動装置の存在下にある場合、起動装置または他の読み取り器は対象から識別値または他の識別を読み取ることができる。起動装置は識別子を用いて、許可キーを生成または取得する。販売時点の装置が対象ユーティリティを変更するための許可を有する場合、起動装置はＲＦＡ装置１４に許可キーを送信する。一例では、起動装置はＲＦＡ装置１４からＩＤ２９を読み取り、ＲＦ（高周波）通信を用いて、ＲＦＡ装置１４に許可キーを送信する。当然のことながら、他の種類の無線通信を用いることもできる。例えば、通信は、一方向または双方向の赤外線（ＩＲ）通信を用いることができる。別の例では、対象は、通信を実行するために起動装置と物理的に接触させることもできる。
【００１８】
ＲＦＡ装置１４は受信した許可キーを用いて、スイッチ３１を別の状態に設定する。それから、消費者が対象１０をその全電力状態で使用しようとすると、対象ユーティリティ１６はスイッチ３１に設定された新しい状態に従って機能できる。このスイッチ状態では、対象はスイッチが第一状態であったときとは異なるユーティリティを有し、それは一般に全機能状態である。ＲＦＡ装置１４はスイッチ３１に接続したロジック２５を有し、許可キーを用いてスイッチ３１の変更を実行する。一例では、ＲＦＡ装置１４は制限されたアクセスキー２７を有し、アクセスキー２７は対象１０の製造プロセス中にＲＦＡ装置１４と共に定義され格納される。この制限されたアクセスキーは外部から読み取り、変更、または破壊されることはないが、ＲＦＡロジック２５によって読み取られるか、または使用される。この制限されたアクセスキー２７は、受信した許可キーと比較するか、または共に使用し、ＲＦＡ装置１４がスイッチ３１の状態変更可能にするかどうかを決定できる。
【００１９】
対象１０の具体的な例では、対象１０はＭＰ３再生機であるように示される。ＭＰ３対象装置の製造中、ＲＦＡ装置はＭＰ３再生機内に設置される。ＲＦＡ装置は、例えば、ＲＦＡ集積回路ＤＩＰ装置、表面実装装置、または他の回路モジュールであってもよい。ＲＦＡ装置が表面実装装置である場合、ＲＦＡスイッチ３１が再生機のユーティリティ機能１６を制御可能なように、再生機の回路基板にＲＦＡ装置を取り付ける。例えば、ＲＦＡ装置は、スイッチを変更するまで再生機が機能しないように、再生機の動作回路の電源に接続できる。別の例では、ＲＦＡ装置は再生機の復号プロセッサに接続し、スイッチが適切な位置になるまで、音楽ファイルを適切に再生する再生機の機能を制限する。さらに別の例では、ＲＦＡ装置はプロセッサに接続し、スイッチが適切な位置になるまで、ユーザインタフェース内で利用可能な選択肢を制限できる。この方法では、再生機は、スイッチを変更することによって全ユーザインタフェースが有効になるまで、制限された実演インタフェースを有することができる。さらに、制限されたアクセスキーはＲＦＡ装置内に格納し、ＭＰ３再生機のユーティリティを犠牲にするような状態にスイッチ３１を設定する。
【００２０】
その結果、ＭＰ３再生機は、適切に電源オンまたは機能しない犠牲型ＭＰ３再生機として製造され、販売の用意がされる。この方法では、犠牲型ＭＰ３再生機は消費者にとってはほとんど役に立たず、従って、盗難の対象になりそうにない。さらに、製造業者は、ＲＦＡ装置内にアクセス可能な識別２９を格納している。識別はＲＦＡ装置内に事前に格納することも、製造業者が製造プロセス中にＩＤを割り当てることもできる。例えば、アクセス可能な識別子は、例えば、ＲＦＩＤ読み取りシステムを介してアクセス可能な格納値であってもよい。犠牲型ＭＰ３再生機は流通網を介して小売り業者に配送され、盗難の脅威を実質的に低減できる。また、小売り業者は、盗難の危険性を低減しながら、顧客がＭＰ３再生機を小売り環境で取り扱うことができるようにする。この方法では、消費者は動作しない犠牲型ＭＰ３再生機を盗難することによって何の利益も得られないので、鍵をかけたケースや精巧なパッケージなど、小売りレベルにおけるセキュリティ対策を低減できる。
【００２１】
消費者がＭＰ３再生機の購入を決定すると、消費者はＭＰ３再生機を販売時点端末に持って行き、起動装置の近くを通過させる。ＭＰ３再生機が起動装置に近づくと、無線またはＥＭ（電磁波）通信を用いて、格納したアクセス可能なＩＤを取得することによって、起動装置はそのアクセス可能なＩＤ２９を読み取る。例えば、通信は、ＲＦ（高周波）通信であってもよい。販売時点装置からＲＦＡ装置１４への通信は、アンテナ１８を介している。一構成では、アンテナ１８は、販売時点端末とデータの送信および受信の両方を行うことができる。販売時点端末は運営センタへのネットワーク接続を有することができ、アクセス可能なＩＤ値を運営センタに送信する。運営センタは制限されたアクセスキーに関連付けられたＲＦＡ装置識別データベースを有し、販売時点装置の所にあるＭＰ３再生機内のＲＦＡ装置用の特定の許可キーを取得する。販売時点端末において、追加の確認動作を起こすこともできる。例えば、店員は消費者からの支払いを受け取ることも、消費者の身分証明書または年齢を確認することもできる。それから、これらの他の確認基準を用いて、販売時点端末は、ＭＰ３再生機のユーティリティを修復する準備があることを確認する。修復が適切であると起動装置が決定した場合、起動装置は無線通信を用いて、ＲＦＡ装置に許可キーを送信する。ＲＦＡ装置１４は許可キーを受け取り、そのロジック２５を用いて、その事前に格納した制限されたアクセスキー２７と許可キーを比較する。キーが適合すれば、ＲＦＡ装置１４はその低電力源を用いてスイッチ３１の状態を変更する。新しい状態では、対象ユーティリティ１６は消費者にとって十分に利用可能になる。
【００２２】
別の例では、消費者はオンライン小売り業者からＭＰ３再生機を購入し、ＭＰ３再生機は消費者に配送または郵送される。この状況では、ＭＰ３用のユーティリティを修復可能な場所に関して、いくつかの代替形態が存在する。一つの代替形態では、オンライン小売り業者はその倉庫または配送部門に起動装置を有し、小売り業者の従業員が配送プロセスの一部として、ＭＰ３再生機のユーティリティを修復する。別の代替形態では、ＭＰ３再生機は犠牲型ユーティリティと共に配送され、配送業者が起動装置を有し、配達前およびその時点で前記起動装置を用いて、ユーティリティを修復する。この代替形態では、消費者がＭＰ３再生機を受け取る際、配達用トラックの運転者がユーティリティを修復し、配送プロセス全体で盗難の危険性をなくすことができる。最後の代替形態では消費者が家庭用起動装置を有し、前記起動装置を用いて、ＭＰ３再生機のユーティリティを修復する。この最後の代替形態では、ＭＰ３再生機は製造業者から消費者の場所までずっと犠牲型ユーティリティ内にあり、商取引が完了した後、ＭＰ３再生機へのユーティリティを最終的に修復するのは消費者である。
【００２３】
場合によっては、ＲＦＡ装置は、ユーティリティが修復されたことを確認するための追加の回路を有することができる。例えば、スイッチの状態を測定することも、別のテストまたは測定を行うこともできる。スイッチがうまく設定されたかどうかに従って、確認メモリ内に異なる値を配置できる。確認メモリは起動装置によって読み取り、消費者およびネットワーク運営センタに対して起動が成功したことを確認する。うまく起動したことを確認することによって、小売り業者は顧客満足に高い自信を持つことができ、ＭＰ３再生機の供給者に正確に適宜報告を行い支払いを許可できる。
【００２４】
ＲＦＡ装置１４は、復調器／変調器２３を介して、許可キーを受け取るように構成される。復調器／変調器２３は、高周波または電磁波の受信器などの無線通信回路であってもよい。ＲＦＡ装置１４はロジック２５を有し、ロジック２５は許可コードを受け取り、スイッチ３１の状態変更を行うべきかどうかを決定するように構成される。ロジック２５は、ロジック構造および動的または不揮発性メモリを有することができる。一例では、スイッチを別の状態に変更できるかどうかの決定を行う際、ロジック２５は対象キー２７を用いる。一例では、対象キー２７は、外部装置を用いて読み取り不可能なように製造プロセス中に格納される。例えば、対象キー２７は、製造中、ＲＦＡ装置の不揮発性、消去不可能および変更不可能なメモリ内に配置できる。この対象キーは許可キーと同じ値であってもよく、その場合、ロジックは制限されたアクセス対象キー２７と受信した許可キーの間の比較を行うだけで、ＲＦ装置のスイッチ３１が変更可能かどうかを決定できる。当然のことながら、この決定を行う際、他のロジックプロセスを用いることもできる。ロジック２５がスイッチ３１を変更可能であると決定した場合、ロジックによってスイッチ３１は状態を変更する。一例では、スイッチ３１は変更実行素子である。変更実行素子は、例えば、電子的スイッチ、電気的スイッチ、ヒューズ、配線内の条件付き切断、ロジック状態であっても、メモリ位置内に定義した値の組であってもよい。別の例では、変更実行素子は、エレクトロクロミック材料などの電気的に切り替え可能な光学材料であってもよい。当然のことながら、他の装置を変更実行素子に用いることもできる。
【００２５】
変更実行素子は、起動電力の印加に応じて状態を変更することも、論理的プロセスを用いて、メモリ内に格納した値を設定または変更することもできる。起動電力２１は、例えば、ロジック２５、復調器／変調器２３、およびスイッチ３１に電力を供給する別個のバッテリであってもよい。別の例では、起動電力２１は、受け取った高周波または電磁気のエネルギ−を利用可能な電力に変換するための変換器であってもよい。また、起動電力は、対象外の供給源から全体的にまたは部分的に獲得することもできる。当然のことながら、このような変換器を実装するために他の電子部品が必要なこともある。別の例では、起動電力は、全装置の動作電力によって提供することもできる。例えば、全装置がＭＰ３再生機であり、ＭＰ３再生機が動作用二次電池を有する場合、二次電池は対象が流通網内にある間、ＲＦＡ装置に電力を供給する十分な初期充電を有することができる。さらに別の例では、起動電力は、複数の電源によって提供することができる。例えば、小型バッテリが変更実行素子に電力を供給し、同時にＲＦまたはＥＭ変換装置がロジックおよび通信回路に電力を供給できる。当然のことながら、ＲＦＡ装置１４内の回路に電力を供給するために、多くの選択肢および代替形態が存在する。
【００２６】
ＲＦＡ装置１４はロジック２５を備えた確認回路またはメモリを有することができ、それはスイッチ３１の実際の状態または可能な状態に従って状態を変更する。場合によっては、スイッチの実際の状態を検出する、あるいは測定することができる。他の場合では、実際の状態を容易に測定する、あるいは検出することができず、その代わりに変更プロセスのある状況を測定する、あるいは検出することができる。この場合、変更プロセスがうまく実行されたことの確認は、対象ユーティリティがうまく変更されたという高い可能性につながる。従って、確認ロジックはスイッチ３１の状態を直接検出する、あるいは、変更を行う際に用いられる電気的プロセスを測定することができる。例えば、ヒューズを流れる電流を測定し、それによって十分な量の電気がヒューズを通過し、それを破壊したことを確認することができる。スイッチの状態の直接検出ではないが、ヒューズの状態が変わることはスイッチの状態の変更をもたらす可能性が高い。別の例では、ロジック２５は、スイッチの設定用の論理的プロセスが適切に行われたことを確認できる。別の例では、ロジック２５はユーティリティ手段１６自体に直接接続し、スイッチの変更を確認できる。いったんロジック２５がスイッチの変更の確認を受け取ると、その確認信号は送信器を用いて起動装置に通信することも、起動部からの要求に応じて読み取ることもできる。従って、ＲＦＡ装置１４は起動および流通制御システムにフィードバックを提供し、ユーティリティが変更されたことを確認できる。その後、この情報はレポートを生成する、あるいは、流通網内の関係者への支払いを開始するために用いることもできる。
【００２７】
ここで図２を参照すると、流通制御システム用の別の対象５０が示されている。対象５０は図１を参照しながら説明した対象１０と同様であり、詳しくは議論しない。対象１０と同様に対象５０は製造中に設置したＲＦＡ装置５１を有し、それは外部の駆動装置から許可コードを受け取るための復調器／変調器５８を有する。復調器／変調器５８はロジック６７と協調し、第一状態と第二状態の間でスイッチ７２の状態を切り替える。この状態変更に応じて、対象ユーティリティ７６は、対象５０に対して異なるレベルのユーティリティを提供する。
【００２８】
ＲＦＡ装置５１は、通信、ロジック、およびスイッチに電力を供給するための電源５６を有することができる。別の例では、対象内の動作電源７８を用いて、ＲＦＡ装置の所定の部分に電力を供給できる。さらに、ＲＦＡ装置は、制限されたアクセス対象キー６８と、アクセス可能な対象ＩＤ６９を有する。復調器／変調器５８は、起動装置に対象ＩＤ値６９を送信するために用いることができる。ＲＦＡ装置５１は、対象のハウジング６５内に格納された対象の主要部品を有する。一例では、ハウジング６５は、ケースまたは他の容器である。ハウジング６５または対象の他の形態はハウジング６５内の部品への無線通信を制限できるので、ＲＦＡ装置５１用の所定の回路およびプロセスは外部アンテナ部材５２上にあり、同時にＲＦＡ内部６７はハウジング６５内にある。図２に示した例では、アンテナ部材５２は起動電力５６（バッテリまたはＲＦ／ＥＭ変換器の形態であってもよい）、復調器／変調器５８とアンテナ５４を有する。この方法では、無線通信へのクリアなアクセスを必要とする回路は、対象ハウジングの外部に配置される。対象ユーティリティを変更するための他の回路は、内部６７に配置できる。当然のことながら、他の回路は内部６７からアンテナ部材５２に移動させることもできる。例えば、対象キーおよびロジックは場合によっては外部に移動できる。また、起動電力５６はバッテリを有する場合、そのバッテリはハウジング５２内に配置することも、アンテナ部材５２上に配置することもできる。
【００２９】
アンテナ部材５２は対象ハウジング５２に取り付けまたは接着させることも、対象から離して配置することも、有線接続を介して対象ハウジング５２に接続することもできる。別の例では、アンテナ部材５２は、対象のケース６３上で利用可能なコネクタ６１を介して対象ハウジング５２に接続することもできる。一例では、対象ケース６３は電力入力ポートを有することができ、その上にアンテナ部材を一時的に取り付けることもできる。このような場合、対象５０はケース６３の電力プラグに接続したアンテナ部材５２を用いて起動され、起動端子で処理した後、電力プラグからアンテナ部材５２を取り外し、電力プラグを壁のコンセントに差し込んで電子装置を動作状態にする。当然のことながら、他の利用可能なコネクタを用いることもできる。例えば、既存のオーディオ、ビデオ、またはデータコネクタを用いることもできる。しかし、標準コネクタ６１を用いる場合、対象回路の負荷効果からＲＦＡ回路を保護するために、好ましくは分離回路を提供できる。対象回路はＲＦＡ  ＩＣにおいて信号を読み込み、適切な動作を妨げる。場合によっては、対象は実際には、例えば、ＤＣまたはＡＣコネクタを用いる場合、ＲＦＡ  ＩＣを損傷させることがある。分離回路も、アンテナ部材５２から対象内を通過する信号の起こしうる有害な影響から対象回路を保護することができる。対象の外部でアンテナ部材５２を構成することによって、起動装置とのより堅牢な通信を維持し、利用可能なＲＦまたはＥＭ源から電力を変換する際、より効率的で有効な電力変換を維持できる。
【００３０】
一般に、図１と２を参照しながら説明した対象起動システムは、対象を選択的に起動するために高周波駆動（ＲＦＡ）装置を用いる。ＲＦＡ装置は部分的に「スイッチ」を有し、それを介してＲＦＡ装置は対象と通信可能なように（データや電力を）接続する。スイッチは設定可能な任意の機構であり、対象ユーティリティに影響を及ぼし（例えば、対象が適切に機能しないようにする）、その後、対象を「起動」するために切り替える（例えば、対象ユーティリティを修復または有効化する）。所定の場合、スイッチは、コマンドまたは基準に基づいて、対象の動作を停止または無効化するように機能することもできる。所定の場合、スイッチは、対象内に格納した媒体、データ、情報、命令／コマンドなど（以下総釈して「コンテンツ」という）へのアクセスを制御するように機能できる。多くの実施形態では、スイッチは論理的（例えば、メモリビット）であってもよく、ヒューズまたは電気機械的アクチュエータなどの追加の素子／部品を有することもできる。ＲＦＡ装置は、論理的／データ、電子的、電気的、電気光学的（光スイッチまたはシャッタ）および電気機械的であって、電気的刺激に応答し、対象の変更を実行する任意の機構を含むが、それらに限定されない異なる種類の「スイッチ」を有することができる。ＲＦＡ装置は、部分的に紫外線、可視光または赤外光出力からなる光スイッチを有することもできる。
【００３１】
用途に応じて、スイッチは一度だけ切り替えることも、限られた回数だけ切り替えることも、回数は無制限であってもよい。さらに、それらは両方向であってもよい。対象内で実行される変更は、ＲＦＡスイッチの開始から一時的にオフセットさせることもできる。例えば、ＡＣ駆動のドリルに接続したＲＦＡ装置を小売りのレジで「起動」できる（例えば、ＲＦＡ装置とドリルの電源に接続した切り替えリレーを有効にする）が、スイッチの効果（ドリルの電源投入）はドリルをＡＣ電力に接続したときだけ実現する。スイッチを含むＲＦＡ装置の機能は異なる方法で組み合わせることも、対象内、またはそれに接続した一つ以上の部品／位置内に分散させることもできる。さらに、ＲＦＡ装置は、起動が生じた後、対象からいくつかの機能を物理的に分離（除去）できるように構成できる。例えば、アンテナを取り除くこともできる。ここで説明した多くの回路およびプロセスは、既存の受動型および能動型ＲＦＩＤタグ、および同様の無線技術または製品に適用できる。
【００３２】
図３には、一般的な既知の受動型ＲＦＩＤタグ１７５が示されている。それは、アンテナ、インピーダンス整合ネットワーク、電力ストレージ、変調器／復調器、メモリおよびロジックからなる。アンテナはＭｙｌａｒ（登録商標）またはＫａｐｔｏｎ（登録商標）基板１７７上に通常構成され、インピーダンス整合ネットワークを介して、シリコンベースのＲＦＩＤチップ部１７９に接続される。チップはアンテナから整合ネットワークを介してエネルギを受け取り、それをチップ内に蓄積し、メモリおよびロジック機能に電力を供給する。変調器／復調器は、タグとデジタルデータを送受信可能にする。メモリブロックは一般に、メモリの読み取り専用領域にシリアル番号を有する。製品または製造情報、流通、サービス、または問い合わせ履歴などの他のデータを格納するために、追加のメモリストレージがしばしば提供される。異なる種類のタグが、ＥＥＰＲＯＭ技術によってワンタイムプログラミング（ＯＴＰ）または無制限のプログラミングを提供できる。メモリ内に一般に格納されたパブリック識別および他の情報は、外部の無線読み取り器を介してアクセスできる。
【００３３】
既知のＲＦＩＤチップとは異なり、ＲＦＡ装置は対象に（一般に電気的接点を介して）通信可能なように接続し、対象とデータ、電力またはコマンドを送受信できる。ＲＦＡ装置はさらにロジックおよび一般にデータ、命令、またはコマンドを有し、装置（例えば、ＲＦ起動装置）外の装置から受信した入力に基づいて、スイッチを条件付きで切り替える。例えば、ＲＦＡ装置によって、製造業者、ＲＦＡ装置製造業者または第三者は、パブリックキーおよび他の情報に加えて、隠されたまたは「プライベートキー」を追記型メモリ内に格納できる。このプライベートキーはランダムに生成することもでき、アルゴリズムに基づくものであってもよい。さらに、ＲＦＡ装置はメモリの別個の空白領域を有し、外部源（例えば、販売時点のＲＦ起動部）から受信したキーを格納できる。この例では、ＲＦＡ装置内のロジック（事前にプログラムした命令またはコマンド）は、受信したキーを事前に格納したプライベートキーと比較する。それらが適合する（またはある別の条件付きの状態が実現される）場合、ロジックはスイッチを切り替える（例えば、メモリビットを設定するか、ヒューズを破壊する）。このような構成では、格納されたプライベートキーは、ＲＦＩＤ読み取り器または任意の外部装置ではアクセスできない。論理的な比較プロセスを定義するキー、コマンド、および命令は一般に追記型メモリ内に格納するか、ハードウェアまたはファームウェア内に恒久的に構成する。
【００３４】
所定の実施例では、ＲＦＡ装置内のロジックは、ＲＦＡ装置外から受信した追加の命令またはコマンドを補ったり、それらと組み合わせたりできる。ＲＦＡチップ内のメモリ（同様に一般に追記型のメモリ）に、一つ以上のプライベートキーを有することもできる。実現されるロジックは、受信したキーに適合するプライベートキー、またはプライベートキーの組み合わせに基づいて条件付きであってもよい。少なくとも、ロジックはＲＦＡ装置内に組み込んだ命令またはコマンドからなり、それらは条件付きの状態の実現に基づいて動作を開始するために十分なものである。多くの実施例では、ロジックはＲＦＡ装置内に完全に含まれている。
【００３５】
いくつかの実施例では、ＲＦＡ装置内に格納される一つ（または複数）のプライベートキーは、ＲＦＡ装置または接続した対象と送受信するデータ、命令またはコマンドを保護するために暗号化手法を用いることができる。このような実施例では、ＲＦＡ装置は、暗号化または復号化アルゴリズムを有することができる。暗号化プロセス２００（図４）を可能にするＲＦＡの一例は、次のように動作する。対象の製造業者２０１は、対象２０２に接続したＲＦＡ装置内にパブリックキー（ＩＤ）、プライベートキーおよび暗号化キーを格納する。パブリックキーは、ＲＦＡ起動装置（例えば、図４に示したように、中央ネットワーク運営センタ（ＮＯＣ）にリンクしたＲＦＩＤ起動部）の外部の起動端末２０５によって読み取り可能である。プライベートキーと暗号化キーは追記型メモリ内に格納され、外部装置によってＲＦＡ装置から読み取ったり、もしくは確認したりできない。
【００３６】
製造業者２０１は暗号化キーを用いてプライベートキーを暗号化し、暗号化したプライベートキーをパブリックＩＤと対にしてＮＯＣ２０６に送信する。例えば、小売りのレジ２０４でＲＦＩＤ読み取り器を用いて、対象のＲＦＡ装置内のパブリックキーを読み取り、ＮＯＣに送信すると、ＮＯＣはパブリックＩＤを用いて関連の暗号化したプライベートキーを参照する。それから、ＮＯＣは対象に接続したＲＦＡ装置に、暗号化したプライベートキーを送信する。それから、ＲＦＡ装置はその格納した暗号化キーとアルゴリズムを用いて、プライベートキーを復号化する。それから、ＲＦＡ装置内の追記型メモリ内に格納したプライベートキーと比較するために、復号化したプライベートキーを用いることができる。復号化および比較プロセスは、ＲＦＡ装置内で完全に発生する。この方式は、ＮＯＣから、または対象の製造業者からＮＯＣ、またはＮＯＣからＲＦＡ装置への通信中、平文のプライベートキーが不法に入手される危険性を低減する。パブリックキーとプライベートキーの組み合わせ（暗号化キーとして用いられるものを含む）と、ＲＦＡ装置内に組み込まれたアルゴリズムを用いてＲＳＡパブリックキー暗号化方式で利用され、ＲＳＡアルゴリズムの米国特許（第４，４０５，８２９号、「暗号化通信システムおよび方法」）および現在パブリックドメインで説明されているようなアルゴリズムを用いる非対称暗号化方式を適用することもできる。
【００３７】
他の暗号化方式は、第三者によって提供される暗号化キーを有することができる。例えば、製造業者はその対象に接続したＲＦＡ装置内に、小売り業者固有の暗号化キーを格納し、それを別個にまたは他のキーと共に使用し、プライベートキーを暗号化できる。ＮＯＣから受信したプライベートキーを復号するために、ＲＦＡ装置内のアルゴリズムは第三者のキーを必要とする（例えば、ＮＯＣとは別個のレジで入力する）。別の実施例では、第三者のキーはＲＦＡ装置の製造業者によって格納でき、対象の製造業者にとって未知であってもよい。それから、第三者の暗号化キーをＮＯＣに送るか、読み取り器への別の経路を介してＲＦＡ装置に送ることができる。上で説明したような暗号化システムは、ＲＦＡ装置内で実現される条件付きのロジックプロセスを保証するために（例えば、組み込みスイッチの無許可の切り替えを妨げるために）用いられる。それらは、ＲＦＡ装置との通信、およびＲＦＡ装置内でのデータ、命令またはコマンドの使用を保証するために用いることもできる。さらに、このような暗号化システムは、異なる関係者が別個にまたは共同で、条件付きのロジックおよび依存関係の結果上で制御（ＲＦＡスイッチの切り替え）を実現するために用いることができる。
【００３８】
ＲＦＡ装置と、ＥＰＣ次世代装置などのいくつかのＲＦＩＤタグの間の違いに注意することは重要であり、それはＲＦＩＤタグのメモリ内に格納した情報（データ）へのアクセスを制御するためにパスワードを利用できる。これらのパスワードはメモリ内に格納した情報を読み取る機能を制御し、新しい情報、または既に格納されている既存の情報を変更する機能を制御する。これらの場合、アクセスまたは変更される唯一のものはデータ自体である。パスワードでさえ、パスワードを格納したメモリ内の位置に新しいパスワードを書き込むことによって変更できる。さらに、これらのパスワード方式は、ＲＦ通信経路を介して外部のＲＦＩＤ読み取り器に対してデータを読み書きする機能だけに影響を及ぼし、対象または対象ユーティリティとは相互作用しない。ＲＦＡ装置は、基本的に異なる方法で動作する。プライベートキーは、対象装置の製造業者、ＲＦＡ装置の製造業者または第三者によってプログラム時にＲＦＡ装置内のメモリに格納される。これらのプライベートキーは一般に追記型のメモリ内に格納され、ＲＦ読み取り器（またはＲＦＡ装置外の任意の装置）によって読み戻すこともできず、好ましくは将来的にどんな手段によっても変更できない。いったんプライベートキーがＲＦＡ装置内にプログラムされると、ＲＦＡスイッチの切り替えに必要な条件に適合する正しいキーを提供するには、その事前知識が必要とされる。
【００３９】
一つ以上のプライベートキーを含む所定の実施例では、プライベートキーの一つ、つまり主プライベートキーがＲＦＡ装置内のロジックを構成し、メモリ内に格納した第二プライベートキーと組み合わせて計算したキーをもたらし、起動時に外部読み取り器からＲＦＡ装置に送信され受信したキーと前記計算したキーを比較できる。計算したキーが受信したキーに適合する場合、ＲＦＡ装置は対象ユーティリティに影響を及ぼす出力（選択的に入力）を有効にする。この出力は一般に物理的接続（例えば、電気的接点またはピン）を介するものであり、対象によってＲＦＡ装置に供給されたＲＦＡ装置のロジック構成情報に応じて複数の異なる方法（例えば、状態変更または所定のデータシーケンス）で論理的に機能する。この論理的データシーケンスは主キーの関数であっても、ＲＦＡ装置内の他の構成可能な論理的手段であってもよい。別の例では、論理的シーケンスは、マイクロプロセッサなどの対象回路から、ＲＦＡ装置に提供するデータストリームなど、外部で生成されたデータストリームを用いる。論理的構成情報は、ＲＦＡ装置の使用可能ピンへのシリアルリンクなどのいくつかの技術、またはＲＦＡ装置上の一対の専用モードピンによってＲＦＡ装置に送信できる。構成手段は対象によって主に制御されるが、ＲＦＡ装置内に格納したコマンドの関数であってもよく、起動比較プロセス完了後に読み取り器からＲＦＡ装置に送信することもできる。
【００４０】
例えば、購入および起動した後、対象を小売り店に戻す状況では好ましくは対象を停止できる。対象を停止する一つの好ましい方法は、ＲＦＡ装置にコマンドを送信し、出力ライン（ピン）を停止させることである。対象を再起動する場合、好ましくは計算したキーを生成し、前記計算したキーは受信したキーと比較するために用いられ、前記受信したキーは前に受信したキー（計算したプライベートキーと適合させるため）とは異なり条件付きのロジックを実行することができる。このようなシステムに安全に影響を及ぼす方法の一例は、ＲＦＡ装置内でカウンタを用いることであり、それはＲＦＡ装置を停止した回数を記録する。ＲＦＡ装置は内部的に主キーと停止カウンタの状態を用いることによって、そのロジックを介して新しく計算したキーを自動的に生成する。このプロセスは、異なるシーケンスで第二キーを論理的に組み合わせることによってさらに行うことができる。プライベートキーは変更されない。シーケンスは製造業者（またはＲＦＡ装置内に最初にキーを格納した関係者）にとっては既知であり、ＲＦＡ装置のパブリックキー（例えば、ＩＤ、シリアル番号）に結び付けられている。読み取り器は停止カウンタの状態へのアクセスを有し、正しい（シーケンシャルな）キーを受け取るために、ＲＦＡ装置のパブリックキーと共にＮＯＣにそのデータを送り戻す。読み取り器はＲＦＡ装置にデータを書き込むことによって、キーや、キーのシーケンスを直接変更することはできない。ＲＦＡ装置自体はそれ自体の内部ロジックに加えて、モード構成情報を用いることによってキー、またはキーのシーケンスを変更する。
【００４１】
ＲＦＡ装置へキーの送信を繰り返すことによって、ＲＦＡ装置内で実現されたセキュリティ方式を打ち負かそうとする試みを防ぐために、いくつかの代替技術を用いることができる。一つは、誤ったキーの提出回数、特に一定期間の誤ったキーの提出回数を制限することである。ＲＦＡ装置内のロジックおよびプログラム可能なメモリは誤った比較を所定回数行うと、一時的にまたは恒久的に内部の許可プロセスを自動的に終了できる。別の解決策はロジック用に内部クロックを用いて、ＲＦＡ装置がデジタルキーを受信または処理するか、それらをプライベートキーと比較する速度を制限することである。また、同様の結果を実現するように、ＲＦＡ装置の速度（例えば、クロック速度）を制限することもできる。
【００４２】
利便性拒否のセキュリティシステムは製品に関わるあらゆる人に依存しており、それは対象ユーティリティを犠牲にし、それを起動しなければ価値は回復しないことを知っている窃盗犯予備軍、従業員、消費者を含んでいる。従って、成功している利便性拒否のセキュリティシステムは、そのユーティリティを変更する対象内の機構（スイッチ）に加えて、セキュリティ方式における対象の関与を認識させるための手段に依存している。一つのコスト効率のよい解決策は、対象またはその関連のパッケージの外側の視認可能な「シンボル」、マーク、アイコンまたはメッセージとＲＦＡ装置を接続し、システム内の参加者として対象を識別することである。さらに、ＲＦＡ装置のアンテナ（内部で対象に接続したもの）に対して、シンボルは対象のパッケージ上に配置して外部の読み取り器の配置を容易にする。
【００４３】
所定の実施例では、ＲＦＡ装置は対象内の素子とは別個にまたはそれらと共に、スイッチまたは対象の状態を決定するための手段を利用でき（例えば、ＲＦＡスイッチは、所望のように対象を能動的にし、どの機能を有効または無効にするかを切り替える）、このような情報を販売時点のシステムに接続したＲＦＩＤ読み取り器などの外部装置に通信する。具体的な実施例に従って、その手段はロジックまたは回路を有し、ＲＦＡ装置またはそれを接続した対象の素子を測定またはテストできる。例えば、受信したキーとプライベートキーについて比較が「成功した」場合、外部装置に外部からアクセス可能なメモリに値を書き込むことができる。別の例では、対象に電力を供給したとき、対象のＲＦＡスイッチの素子内の回路または材料の電気的特性（例えば、抵抗、静電容量など）を測定でき、結果を外部装置に出力する。ＲＦＡ装置の状態を通信する一例は、ＬＥＤなどの直接接続した素子に対して指示器の状態を設定することであってもよい。別の例は、エレクトロクロミック膜と組み合わせたＲＦＡ装置（ここで説明した）の取り外し可能なアンテナ素子であってもよく、前記エレクトロクロミック膜はＲＦＡ装置の状態に応じて外観を変化させる（例えば、起動前は赤、起動後は緑）。
【００４４】
通信可能なように接続した外部装置（例えばＲＦＩＤ読み取り器）に状態情報を出力する実施例では、情報は局所的に用いることも、ＮＯＣのようなリモート位置、または製造業者や第三者に送信することもできる。情報は、最初の試行が失敗した場合に起動を再試行するなど、依存関係の動作を実行するために使用できる。情報は、対象の状態（動作中または停止中）または前に起動されたかどうかを決定するために用いることもできる。情報は、問題を識別、診断および報告するために（例えば、ＮＯＣに）集めて用いることもできる。システムを侵害する無許可の試行を識別するために用いることもできる。ＲＦＡ装置の状態は、様々なトランザクションシステムの依存関係の変数として用いることもできる。例えば、顧客は対象を起動するまで支払い要求されないようにできる。また、顧客が支払い要求され、支払い可能なことを証明し（例えば、クレジットカードまたは顧客の口座が有効であるかどうかを調べるテスト）、支払いが行われるまで、対象を起動できないようにする。ＲＦＡ装置の状態は、他のセキュリティ方式と共に用いることもできる。例えば、小売り店では、レジでうまく起動されたかった製品は、出口に配置したＲＦ検出システムで検出してアラームを起動できる。
【００４５】
図５は、ＲＦＡ装置２２５の一構成を示している。この構成では、スイッチ２２７は「真」に切り替え可能なメモリビットからなり、「出力」におけるロジック状態を設定し、それは対象内のマイクロプロセッサによって読み取り、そのユーティリティに影響を及ぼすことができる。また、出力スイッチライン２２７（出力ビットに関連している）は、マイクロプロセッサ、マイクロコントローラ、または対象回路の任意の他のロジックラインのリセットラインを引き下げるために用いることができ、それは電源をオンにしたとき対象が機能しないようにする。コードが適合した場合だけ、そのラインはＲＦＡ装置によって「真」に進み、対象は通常どおり機能できる。当然のことながら、「真」はある回路では「高い」値として表され、他の回路では「低い」値として表される。
【００４６】
ここで図６を参照すると、多くの市販品は金属シールドまたは金属ケースのいずれかを有し、読み取り器から内部に設置した内部ＲＦＡ装置への効率的なＲＦ結合を不可能にする。これらの種類の対象の場合、好ましくは金属容器２３１の外側にアンテナ２３４を配置できる。しかし、内部ＲＦＡ装置２３６は対象のプリント回路基板（ＰＣＢ）２３２上に取り付け、ある種のコネクタ２３３で二つを接続できる。これは、図６に一般に示される構成をもたらす。図６に示した構成によって、ＲＦアンテナ２３４はＰＣＢに取り付けたコネクタ２３３を介して、対象の金属容器２３１を通過して接続できる。内部ＲＦＡ装置はさらに、対象のＰＣＢ２３２上に配置することもできる。好ましくは、コネクタは現在ＲＦＩＤタグに用いられる三つの主要な周波数帯域、１３．５６ＭＨｚ、９００ＭＨｚ、または２．４ＧＨｚの一つでＲＦ信号を送信するが、ＲＦ信号を適切に送るために追加の回路を要求することもできる。代替形態では、ＲＦ信号をより容易に送信できるより高品質のコネクタを用いることもできる。この相互接続のために、ゼロ挿入力フラットフレキシブルケーブル（ＺＩＦ  ＦＦＣ）またはスマートカードコネクタなどの高価なコネクタを用いることが望ましい。好ましくは、整合ネットワークはコネクタのアンテナ側に有することもできる。この実装によって起動した後、対象からアンテナを分離できる。図７に示したように、別の同様の構成２４０はカスタムコネクタ２４２内にＲＦＡ装置を一体化し、対象のＰＣＢ２４４上には単一の装置を設置するだけでよい。
【００４７】
図６と７を参照しながら説明したように、コネクタによってアンテナは対象の容器の外側に配置できる。図８に示したように、対象装置２５０は対象のコネクタに取り付けたアンテナ２５２を有する。アンテナは内部ＲＦＡ装置に電気的に接続し、効率的なＲＦ通信と電力変換を可能にする。さらに、アンテナ部材２５２は、起動後に取り外し可能であってもよい。アンテナ２５２は適合するアダプタであってもよく、それによってアンテナ２５２を特定の方向に配置させる。例えば、アンテナは容器に対して垂直方向に配置し、ＲＦエネルギーがより効率的な方法でそれに結合できるようにする。アンテナ用に堅固な基板を用いることができ、それ自体が自立し、図８に示したように特定の方向を維持できる。金属容器に対して上に横にならないように、アンテナの方向を定める機能に注意することは重要である。これは、金属容器がアンテナの負荷になり、そのインピーダンスを変化させ、最終的に読み取り器との結合効率を変化させないようにする。図８に示したように、アンテナは、対象の前方または後方に配置した読み取り器と最もよく結合できる。コネクタとアンテナを９０°回転させた場合、アンテナは対象の上部または底部から最もよく結合できる。コネクタは、対象のＰＣＢ上にほとんど任意の場所に配置できる。ＲＦ結合の問題を最小化できる場合、対象の角の近くにそれを取り付けることが望ましい。アンテナは、対象のパッケージまたは配送コンテナの一部として構成することもできる。
【００４８】
図８を参照すると、制御された電子対象装置２５０が示されている。電子装置２５０は、ユーティリティ手段、および他の演算回路や装置を取り囲み保護するためのケースを備えた電子装置である。一例では、ケースは金属性であり、従って、対象内の部品および回路との無線通信を制限する。この方法では、対象内の装置および部品との無線通信は、堅牢で効率的な通信を行うために極度に強いＲＦまたはＥＭ信号を必要とする。無線通信の効率を改善するために、アンテナ部材２５２はケースの外部に設置し、ハウジング内の内部ＲＦＡ装置と電気的に接続する。この方法では、アンテナ２５２は起動装置との無線通信のために容易にアクセス可能であり、同時になお対象ハウジング内のＲＦＡ装置用のスイッチを維持できる。特定の例では、コネクタはハウジング上に配置される。このコネクタはアンテナ２５２用に特に設計されたコネクタであっても、対象の既存のコネクタであってもよい。例えば、対象がオーディオ装置であれば、対象はいくつかの既存のオーディオコネクタを有する可能性が高い。別の例では、対象２５０は、ＡＣまたはＤＣ外部電源コネクタを介して電力を供給できる。この方法では、コネクタは電源プラグまたはアダプタ入力であってもよい。当然のことながら、Ｅｔｈｅｒｎｅｔ（登録商標）データポート、シリアルデータポート、ＵＳＢ接続、および他の標準オーディオ、ビデオ、およびデータコネクタ形式などの他の種類のコネクタを用いることもできる。
【００４９】
使用する際、アンテナ２５２は製造または配送プロセス中のコネクタに取り付ける。販売時点環境では、起動装置はアンテナ２５２と協調し、対象容器内のＲＦＡ内部装置に情報および電力を送受信する。特に、アンテナは識別値用の要求を受け取り、内部ＲＦＡ装置に識別値を送信できる。起動装置はその許可ルーチンを行った後、アンテナ４４５を介して内部ＲＦＡ装置に許可キーを送信できる。内部ＲＦＡ装置はコネクタを介してアンテナに接続したロジックを有し、前記ロジックはそのスイッチを別の状態に変更できることを決定する。ユーティリティの状態を変更した後、内部ＲＦＡ装置はアンテナ２５２を介して変更の確認を起動装置に報告できる。一般に、この時点で、消費者は電子装置２５０を別の場所に運び、電子装置を動作状態に配置する。消費者はアンテナ部材２５２を取り除き、それを処分できる。別の例では、アンテナ部材２５２はケースと一体的に形成し、ケース上に残すこともできる。
【００５０】
場合によっては、例えば、対象が無線アクセスポイントなどの「無線」装置であり、このような通信に適応するためにそのアンテナと回路を設計できる場合、内部ＲＦＡ装置との通信を実行するために対象内に含まれる装置を用いることが好都合である）。多くの対象は発泡挿入物を用いて、対象が配送中損傷しないようにする。アンテナは、これらの挿入物と容易に一体化できる。有効なアンテナ設計手法を用いると、パッケージ発泡体はアンテナ部材と対象の金属ケースの間の「スペーサ」として機能し、アンテナの効率と動作の維持に役立ち、読み取り器と内部ＲＦＡ装置の間の通信を促進できる。アンテナ基板材料は任意の比較的堅固な材料であってもよく、アンテナを適切に機能させるために必要な誘電特性を有する。従来、Ｍｙｌａｒ（登録商標）またはＫａｐｔｏｎ（登録商標）が用いられてきたが、堅固なボール紙またはコート紙を含む様々な材料を用いることもできる。
【００５１】
代替形態は、図９に示したように、「離脱」システム２７５としてアンテナおよびコネクタを構成することである。例えば、Ｍｙｌａｒ（登録商標）基板は、その長手方向に沿ったネック状領域２７７内に反るように設計できる。成形プラスチック部２８１は、容器２８０の外側にアンテナ２７９をもたらすために用いることができる。それは、対象のＰＣＢへの内部ＲＦＡ装置の取り付けを容易にすることもできる。図９では、対象容器２８０は、内部ＲＦＡ装置２８１を配置したプリント回路基板を取り囲んでいる。アンテナ部材２７９はコネクタを介して内部ＲＦＡ装置２８１に接続し、コネクタは内部ＲＦＡ装置と一体的に形成する。この方法では、内部ＲＦＡ装置２８１をＲＦおよびＥＭ通信から遮蔽しながら通信を容易にするためにアンテナ２７９は外部に配置される。アンテナ部材２７９は対象容器の外側にアンテナ構造のみを有するように示されているが、当然のことながら、内部回路の他の部品を外部に移動することもできる。例えば、ＲＦ／ＥＭ変換器の形態の電源をアンテナ部材２７９上に設けることも、バッテリを設けることもできる。別の例では、ロジックの一部または全てをアンテナ部材に移動することも、対象キー用の制限されたアクセスストレージを移動することもできる。もちろん、この後者の構成はあまり安全ではないが、いくつかの用途では役立つ可能性がある。しかし、一般に、ＲＦＡ装置のスイッチとロジックは、対象容器内にあるユーティリティ手段に接続するために対象容器内に残す。
【００５２】
９００ＭＨｚおよび２．４ＧＨｚでは、その電気的特性および要件の観点でコネクタが重要となる。図１０を参照すると、代替形態２９０として、コネクタを介してＲＦを通過させるのではなく、電力ストレージと変調器／復調機能をコネクタのアンテナ側に移動できる。変調器／復調器の出力は、ＤＣレベル上に乗っているずっと低い周波数のパルス列である。この信号は、そのコネクタ要件に関してはそれほど重要ではない。アンテナ側に移動させなければならない部品は小さく安価であるので、アンテナと共に廃棄できる。これによって、スマートカードインタフェースやＺＩＦ  ＦＦＣ形などのコネクタを全てのＲＦ周波数で使用できる。これらのコネクタの主要な利点は、接続用のアンテナ基板上に露出した接点のみを使用することである。この構成では、アンテナ上の電気機械的コネクタは必要ではない。これは、アンテナのコストおよび複雑さを劇的に低減する。別の利点は、ここでは整合ネットワークはアンテナ上にのみ含まれ、製造業者が対象内に一体化できるコネクタまたは内部ＲＦＡ装置によっては影響されないことである。また、廃棄可能な部材の一部としてＲＦＡ装置全体を組み込むこともできる。
【００５３】
一構成では、内部ＲＦＡ装置はコネクタ内に一体化し、前記コネクタを対象の内部ＰＣＢに取り付ける。これは、製造業者が内部基板上に単一部品を配置し、容器にアンテナ接続用の対応する穴を配置するだけでよいことを意味する。コネクタとＲＦＡ組み立て品はスルーホールまたはＳＭＴリードを利用でき、機械的配置機構、または機械的取り付け機構を有することもできる。
【００５４】
別個のコネクタを追加するのではなく、いくつかの対象上の既存のコネクタを利用することもできる。例えば、多くの市販のオーディオおよびビデオ製品では、低レベルのオーディオ入力を利用できる。これらの製品の大部分は、オーディオ入力コネクタ用にＲＣＡフォノジャックを使用する。上記の図１０に示したアンテナは、ＲＣＡフォノプラグ内に終端されるように構成したアダプタを有することができ、前記アダプタはフォノジャック内に差し込まれる。いったん対象が起動されると、アンテナとフォノプラグは廃棄できる。対象上のオーディオ入力はここで、オーディオ入力としてのみ機能できる。図１０は、アンテナ部材の別の例を示している。この例では、ハウジングは内部ＲＦＡ装置を保持するプリント回路基板を有し、それはコネクタピースと一体的に形成される。この構成は、対象上の既存のオーディオ、ビデオ、データ、または電力コネクタを用いる際に特に役立つ。例えば、好ましくはオーディオコネクタを用いて、外部アンテナ部材を接続できる。しかし、内部オーディオ回路は一般に、例えば１００ｋＨｚ未満の比較的低周波数で動作するように構成され、場合によっては、３０ｋＨｚ未満で動作するように設計される。従って、外部アンテナが受信する別の好ましい９００ＭＨｚまたは他の高周波信号は、高周波数では内部ＲＦＡ装置と確実に効果的には通信できない。従って、高周波信号は、アンテナ部材上に取り付けた変調器／復調器を用いて、より低い周波数に復調される。例えば、アンテナは９００ＭＨｚのＲＦ通信を受信し、オーディオレベルのコネクタを介して送信可能なより低い周波数にその信号を復調できる。この方法では、比較的低い周波数信号は内部ＲＦＡ装置で受信し、そのスイッチの状態を変更するために用いることができる。
【００５５】
ＲＦＡ装置が、対象と通信しインタフェースするにはいくつかの方法がある。一般に、そして特にＲＦＡ装置が対象内の回路とインタフェースする実施例では、読み取り器とのＲＦ通信中に対象からＲＦＡ装置を分離するためのシステムが提供される。起動中、ＲＦＡ装置は、読み取り器からのＲＦエネルギーによって電力を供給される。しかし、対象には電力は供給されず、この時間中はＲＦＡ装置からエネルギを引き出さないようにする。図１１に示したように、いったん対象３００を起動し電力を供給すると、それは必要な電力をＲＦＡ装置に提供し、出力ラインとインタフェースする。図１１では、電力または出力信号の分離は、内部ＲＦＡ装置３０２と対象回路３０６の間に二つのスイッチＳＷ１（３０４）とＳＷ２（３０５）を追加することによって実現される。内部ＲＦＡ装置とインタフェースする対象回路３０６は一般に、電源（ＰＳ）３０９とマイクロプロセッサ（μＰ）３１１から構成できる。ＰＳ３０９の出力（ＶＣＣ）とμＰ３１１への入力はどちらもＲＦ起動中は低となるので、ＳＷ１とＳＷ２はどちらもＲＦ起動中は開となる。ＳＷ１とＳＷ２は、ダイオード、バイポーラ素子、ＦＥＴＳ、ＣＭＯＳスイッチなどを含む複数の手段によって実装できるが、それらには限定されない。ＳＷ１とＳＷ２は、対象電源３０９または他の対象回路のいずれかによって制御できる。対象の電源をオンにすると、ＳＷ１はオンとなり内部ＲＦＡ装置に電力を供給する。しばらく後、ＳＷ２はオンになり、内部ＲＦＡ装置と対象μＰまたは他の回路の間の通信を可能にする。いくつかの対象では、μＰを用いなくてもよいが、ＲＦＡ出力を用いることによって対象をなお起動し、製造業者が適切であると考える任意の手段によってその回路を有効または無効にできる。ＶＣＣは任意の電圧であってもよいが、一般に＋３．３Ｖまたは＋５Ｖとなる。
【００５６】
対象の改竄防止を改善するために、内部ＲＦＡ装置３２７は図１２に示したように「使用可能」ライン３２６を利用できる。ＳＷ３は、既に説明したＳＷ２と同様の方法でこのライン３２６を分離するために役立つ。使用可能ライン３２６は、対象３２５のマイクロプロセッサ（μＰ）、マイクロコントローラ３２８、または他の回路から内部ＲＦＡ装置への入力である。それは、状態変更であっても、シリアルデータストリームであってもよい。内部ＲＦＡ装置はそのプライベートキーと共にこのデータストリームを用いて、対象マイクロプロセッサ（μＰ）、マイクロコントローラ、または他の回路に別のシリアルデータストリームを出力できる。これによって、任意の数の暗号化アルゴリズムを利用でき、前記アルゴリズムは製造業者のみに知られたプライベートキーに結び付けられる。対象からの入力データストリームは変更できるので、出力データストリームは製造業者のみに知られた方法で暗号化アルゴリズムに応じて変更できる。単一シリコン基板上の内部ＲＦＡ装置機能と共に、低出力マイクロプロセッサ、マイクロコントローラ、またはカスタム回路を一体化することもできる。これは、内蔵型ＥＰＲＯＭを備えたＯＴＰマイクロプロセッサ、マイクロコントローラ、またはカスタム回路を利用する場合、高レベルの改竄防止保護を提供する。マイクロプロセッサ、マイクロコントローラ、またはカスタム回路は、ＳＰＩ、またはＩ２Ｃシリアルデータリンクを介して、主システムプロセッサと安全に通信できる。
【００５７】
内部ＲＦＡ装置は、マイクロプロセッサを持たない対象を起動するために利用することもできる。例えば、対象３５０がコードレスドリルなどのＤＣ電源３５５を有する場合、図１３に示したように、内部ＲＦＡ装置３５２は負荷と直列のパワーＭＯＳＦＥＴ３５１をオンにするために使用できる。パワーＭＯＳＦＥＴ３５１は、ＳＷ２の必要性をなくすように用いられる。ＦＥＴ３５１のゲートは、ＲＦ起動中に内部ＲＦＡ装置に負荷を与えることはない。この実施例では、ＳＷ１はコードレスドリルのトリガスイッチによって起動される。製造業者は、さらに改竄防止を行うために全ての回路のカプセル化を選択できる。ＡＣ駆動装置の場合、パワーＭＯＳＦＥＴは固体スイッチと置き換えることができる。ＲＦＡチップに電力を供給するために、単純なＡＣ／ＤＣ変換器を用いることもできる。
【００５８】
ここで図１４を参照すると、別のＲＦＡ起動対象３７５が示されている。対象３７５は内部ＲＦＡ装置３７６を有し、内部ＲＦＡ装置３７６は汎用性を高めるためにさらにバッテリ３７７に接続されている。既に議論した内部ＲＦＡ装置も、この方式を用いることができる。内蔵バッテリ３７７によって、内部ＲＦＡ装置を「能動型」にすることができる。従って、内部ＲＦＡ装置とその機能は、バッテリ３７７によって電力を供給できる。それはもはや、電力を供給するためにＲＦエネルギを外部から受け取る必要はない。この方式の利点の一つは、内部ＲＦＡ装置が機能できる周波数範囲を拡大できることである。受信感度を改善するために、ＲＦ増幅器を内部ＲＦＡ装置の前方に構成し、読み取り器に送り戻すためにＲＦ電力増幅器を構成することもできる。内部ＲＦＡ装置の回路は一般にあるＣＭＯＳまたは他の低電力技術であるので、それらは起動前にバッテリからほんの僅かな電流しか引き出さない。従って、起動前の保管寿命をかなり長くできる。汎用性の一部は、追加の回路や機能に電力を供給するためにバッテリを用いることに起因し、それはＲＦエネルギーによって電力を供給するのは現実的ではない回路や機能を追加できる。例えば、図１４は、小型の１．５Ｖバッテリ３７７によって電力を供給する内部ＲＦＡ装置３７６を示している。任意のバッテリ技術を用いることができるが、小型の一次電池を用いることが望ましい。バッテリは、内部ＲＦＡ装置および電力回路に電力を供給する。動作中、電力回路は起動されるまでスリープモードになっている。内部ＲＦＡ装置の出力が動作中になると、電力回路が再起動し、そのより高い電力機能を提供する。この機能は、ＲＦ生成電力からではなく１．５Ｖバッテリからそのエネルギを引き出し、広範囲の電気的機能を実行できる。図１４では、電力回路はモータまたはソレノイドに電力を供給し、機械的動作を実現する。この機械的動作は、機能を実現するために、対象の機械的機能のロックまたは解除を行うことによって、対象の機械的起動を実現できる。
【００５９】
この方式を用いて、多くの他の機能及び挙動を実装できる。電力を必要とする可聴、超音波、光学的、熱的および任意の他の機能を利用できる。これは様々な手段によって対象を起動するだけでなく、製品が実際に起動されたことの指示をレジの店員や顧客に返すこともできる。例えば、バッテリはＬＥＤ指示器にエネルギを提供し、それは対象のパッケージ内の透明な窓から視認できる。起動に成功すると、ＬＥＤをオン（１００％または点滅）にし起動を示すことができる。別の方式は、印刷アンテナを備えた粘着ラベルとしてＬＥＤを提供し、対象のパッケージの外側に貼り付けることである。起動に成功すると、バッテリおよび電力回路は小型送信器をオンにする。送信された信号はラベル上の印刷アンテナによって捕捉され、ＬＥＤを点灯させる。さらに、内部ＲＦＡ装置に接続したアンテナは、エネルギーストレージ素子（例えば、薄膜バッテリ）、または対象の他の素子の一部（例えば、光ディスクの反射層を構成する材料）を構成するために用いられるものと同じ材料／プロセスから構成できる。
【００６０】
上記の電気／電子的対象に加えて、ここで説明するＲＦＡ装置は、例えば、次のような様々な非電気／電子的対象に適用できる。
ａ．ＲＦＡ装置を組み込んだ光ディスクであって、電気光学フィルムを有し、前記電気光学フィルムが光シャッタ（「開」および「閉」）として機能し、問い合わせを行うレーザ光によるディスク内に含まれるデータ構造の読み取りを可能または不可能にする光ディスク。
ｂ．ＲＦＡ装置を組み込んだ文書、パスポート、チケット、クレジット／デビットまたはストアドバリューカード、光ディスクなどの媒体であって、起動時に下地のコンテンツを被覆または露出する電気光学材料を有する媒体。
ｃ．ＲＦＡ装置を備えた香水瓶であって、ガラス内に組み込んだエレクトロクロミック材料を有し、ＲＦＡタグを起動するまで魅力のない外観またはメッセージを生成する瓶。
ｄ．ＲＦＡ装置を備えた時計であって、電気機械的アクチュエータを有し、時計の動作を機能できるようにしたり妨げたりする時計。
ｅ．ＲＦＡ装置を備えたバッテリであって、充電指示器内に組み込んだ電気化学材料を有するバッテリ。
【００６１】
いくつかの状態では、対象（例えば、コンピュータ）を大量生産し、それを配送用に梱包し、それから製造施設または小売りの販売時点のいずれかで個々のオプション（例えば、事前にロードしたソフトウェアまたはコンテンツ、またはハードウェア機能）を駆動するか、選好（例えば、ユーザまたは小売り店名、構成情報など）を入力することが望ましい。この目的のために、事前にロードしたソフトウェアを解読するためのパスワードまたはキーなどの複数のデータ要素を受信および出力するように構成したＲＦＡ装置を使用できる。いくつかの種類の対象の場合、単一の対象内の複数の半組み立て品を起動し、その部品について対象の盗難を防ぐことが望ましい。一例は、ハードディスクドライブ、ＬＣＤ表示装置、ＣＰＵ、ＣＤディスクドライブなどの複数の高価な半組み立て品を含むラップトップコンピュータである。一例では、各半組み立て品はそれ自体の内部ＲＦＡ装置を有することができ、各組み立て品に対する起動信号によって起動される。複数の半組み立て品を別個に起動可能な方法についての別の例４００は、図１５に示されている。
【００６２】
図１５を参照すると、スイッチＳＷ１、ＳＷ２、およびＳＷ３の動作、およびＳＡ１とＳＡ２を除く他のブロックは、図１２に示したシステムに対する動作と同様である。ただし、対象を起動しないかぎり、μＰと半組み立て品ＳＡ１とＳＡ２を無効にすることが望ましいのでいくつかの重要な違いがある。起動すると、内部ＲＦＡ装置は起動されてたことを記憶する。対象（例えば、ラップトップコンピュータ）の電源が入ると、μＰ、ＳＡ１、ＳＡ２、および内部ＲＦＡ装置にブート電力が加えられる。対象の製造業者は、どのプライベートキーが対象内で用いられる特定の内部ＲＦＡ装置用であるかを知っているので、その情報をμＰのブートコード領域に配置できる。プロセッサがブートすると、それは内部ＲＦＡ装置の使用可能ラインにデータシーケンスを送信し、修正したデータストリームを内部ＲＦＡ装置の出力ライン上で受信する。ブートコードが確認を期待していたものと出力データストリームが適合しない場合、μＰは機能しない。従って、内部ＲＦＡ装置を有さないμＰは取り除かれ、起動コードはμＰを不要であると伝える。いったんμＰがブートすると、それは内部ＲＦＡ装置の使用可能ラインにデータを送信し、半組み立て品ＳＡ１とＳＡ２にデータを送信するように内部ＲＦＡ装置に命令し、それらを起動させる。ＳＡ１とＳＡ２内のカスタムチップは、ＲＦＡチップからのデータとμＰからのデータを比較する。それらが適合しない場合、半組み立て品ＳＡ１とＳＡ２は機能しない。このカスタムチップは、半組み立て品内では、それ自体に内蔵されたカスタムデータ符号化を有することができ、それらは製造業者にとってもμＰにとっても既知である。この符号化がどのようなものであるかを知ることなく、プライベートキーなしでは半組み立て品は機能しない。半組み立て品のチップ内のカスタムデータ符号化は、同じデータをＩＣ入力に提供し、半組み立て品を機能させることを妨げる。
【００６３】
多くの例では、好ましくは製造業者が対象装置上の既存のコネクタを用いて、ＲＦＡアンテナ部材からのＲＦＡ信号を対象の内部ＲＦＡ装置に接続することができる。一般的な対象上の既存のコネクタの例には、ＡＣ主電源、オーディオ、ビデオ、ＤＣ電源、および他の多くのものが含まれ、それらは全て対象の起動用のＲＦＡ信号に接続するために用いることができる。一構成は図１６に示されており、一例として、対象４２５のオーディオ入力コネクタ４２６を用いて、ＲＦＡアンテナ部材４２８を内部ＲＦＡ装置４２９に接続している。図１６内の対象４２５は、コネクタ（オーディオ入力）と、そのコネクタに関連した対象回路（オーディオ回路）の間の対象に追加した周波数選択分離ネットワークを有する。ＲＦＡアンテナ部材はそれに取り付けた嵌合コネクタ（プラグ）を有し、それは対象上のコネクタ（ジャック）内に差し込む。このコネクタの種類は、対象上のコネクタの機能に応じて変更できる（例えば、電源コネクタは、オーディオ入力コネクタとは異なっていてもよい）。分離ネットワークは、ＲＦＡアンテナ部材と内部ＲＦＡ装置からオーディオ回路を分離する。起動プロセス中にＲＦ信号が存在すると、ＲＦＡ信号は内部ＲＦＡ装置に送られる。そのコネクタ（オーディオ）に関連した対象回路はＲＦＡ信号経路から分離され、ＲＦＡ信号には影響を及ぼさない。いったん起動が完了すると、ＲＦＡアンテナは取り除くことができ、オーディオ源から来るオーディオケーブルに差し込むことによって対象はオーディオ源に接続される。この形態では、分離ネットワーク４３０はオーディオ信号をオーディオ回路４３２に渡し、コネクタおよび関連の回路の通常の機能からＲＦＡ回路を分離する。この一般的な方法は、以降の図面および例で示されるように具体的な実施形態に適用できる。
【００６４】
図１７は、ＡＣコネクタまたは電源コード４５５に接続した外部アンテナ部材４５２を備えた電子装置４５０を示している。それは、吊り下げ式ＡＣ電源コード４５５の突起部に差し込む。適切な物理的コネクタを用いる場合、ＩＥＣ電源入力コネクタ用に同じ設計を用いることができる。この実施例では、送受信器／復調器は適切なデジタル符号化技術を用いて、入力変調ＲＦ（例えば、９００ＭＨｚ）信号をより低い周波数（例えば、〜５００ｋＨｚ）に復調したデータストリームに変換する。この低周波（〜５００ｋＨｚ）復調信号は、対象上の電源コードコネクタに接続する。対象の電源入力モジュールから起動データストリームを分離する分離ネットワークは、ＡＣ電源コネクタと対象の電源の間に接続する。それは、二つのコイルと二つのコンデンサからなる。これらの部品は、対象コネクタが使用する信号周波数（この例では６０Ｈｚ）と、使用される起動周波数（〜５００ｋＨｚ）の間の周波数比に基づいて選択される。５００ｋＨｚでは、コイルは起動信号に対して高いインピーダンスを示す一方、コンデンサは低いインピーダンスを示す。従って、起動信号は起動回路に接続し、低電源インピーダンスはコイルによって分離される。対象が６０Ｈｚで電力を供給される場合、この状態は逆になる。コイルは低いインピーダンスのように見え、電源に６０Ｈｚのエネルギを接続する一方、コンデンサは６０Ｈｚのエネルギに対しては高いインピーダンスのように見え、６０Ｈｚが起動回路に接続されるのを妨げる。
【００６５】
図１８は、オーディオ入力ポート４６５に接続した外部アンテナ部材４６２を備えた電子装置４６０を示している。オーディオ信号は２０ｋＨｚ程度の帯域幅を必要とし、それは起動信号とオーディオ信号の比率が前の６０Ｈｚの電源の例より小さいことを意味する。このより低い比率は、信号の必要な分離を実現するために、より複雑なフィルタトポロジを必要とする可能性がある。この例では、コイルに加えてシャントコンデンサがオーディオ経路に追加される。これは、起動信号に対してより大きな減衰（より鋭いカットオフ特性）を備えたフィルタをもたらす。オーディオ入力は低レベルであってもよいので、別の部品を追加し、オーディオ入力段階の損傷を防ぐことができる。適切なサイズの抵抗器を備えた簡単な二重ダイオードクランプでこれを実現できる。通常の動作状態で対象に電力を供給する場合、起動電力ダイオードＤ１は対象電力によって逆バイアスされ、オーディオ信号に対して高インピーダンスを示す。これはオーディオ信号から起動回路を分離し、起動回路内の任意の雑音源からオーディオ回路を分離する。
【００６６】
図１９は、オーディオ出力ポート４７５に接続した外部アンテナ部材４７２を備えた電子装置４７０を示している。図１７で説明したように、フィルタトポロジはオーディオ周波数ではより複雑になる可能性がある。この場合、コネクタはオーディオ出力であるので、過負荷からオーディオ出力回路を保護するために異なるトポロジが必要とされる。簡単な２極ＬＣフィルタが示されているが、オーディオ周波数応答に影響を及ぼすことなく、起動信号の必要な分離を実現するにはより多くの極が必要とされる可能性がある。また、オーディオ周波数応答への影響を最小にするために、図のようにオーディオ出力増幅器の帰還ループ内に好ましくは分離フィルタを有することができる。
【００６７】
図２０は、他の装置にＤＣ電源を提供する装置、つまり給電装置（ＰＳＥ）用のコネクタ３８５に接続した外部アンテナ部材４８２を備えた電子装置４８０を示している。ＤＣ電源に関連した静電容量の出力は大きいので、分離ネットワークはそれ自体のフィルタコンデンサを必要としなくてもよい。ＰＳＥ出力フィルタコンデンサと共に追加したコイルは分離ネットワークを構成し、対象の回路にＲＦＡ信号の負荷がかからないようにする。オーディオ増幅器の出力の場合と同様に、出力電圧調整器の帰還ループ内に分離ネットワークを有することが望ましく、それによって電源装置の通常動作時に分離ネットワークの影響を最小化できる。
【００６８】
図２１は、対象用のコネクタ４９５に接続した外部アンテナ部材４９２を備えた電子装置４９０を示しており、前記対象はＡＣコンセント調整ＤＣ電源などの外部ＤＣ電源によって電力を供給される。この種の対象は、受電装置（ＰＤ）と呼ばれる。図のように、対象の電源用の分離ネットワークは、単一のコイルからなる。対象の電源の入力フィルタコンデンサがこのコイルと共に用いられ、低域通過フィルタを構成し、起動信号に高インピーダンスを提供し、電源回路から起動信号を取り出す。対象が通常動作中に外部ＤＣ源によって電力を供給されるとき、コイルは外部の高周波ノイズを減衰させるために役立つ。入力フィルタのコンデンサは通常かなり大きくなるので（高静電容量）、クランプダイオードを必要としなくてもよい。
【００６９】
図２２は、ビデオ入力５０５に接続した外部アンテナ部材５０２を備えた電子装置５００を示している。ビデオ信号は周波数領域内の起動信号に重なっているので、受動フィルタ分離ネットワークは信号分離において有効ではない。これらの状態では、分離はリレーまたは固体スイッチなどのスイッチング装置によって実現され、前記スイッチング装置は通常の対象の動作中に対象の電力によって電圧を印加される。起動中、対象に電力が供給されていないときは、リレーＫ１は駆動信号を起動回路に導く。対象に電力が供給されているときはリレーＫ１に電圧を印加し、ビデオ信号を起動入力ではなく通常の対象の回路に導く。これは、起動信号と対象の回路の間に、非常に高度の分離を提供する。この方式は、使用されるコネクタが対象用の電源ではない全てのシステムで実現可能である。信号の切り替えを実現するために、好ましくはリレーではなく固体スイッチを用いることができる。これらの場合、対象をオフし、起動信号が存在するとき、それらの基板のダイオードが導通しないように二つの固体スイッチを背中合わせで直列に接続することが必要なことがある。
【００７０】
上で説明し図１７〜２２で表した技術を用いて、起動信号ポートとして多くの他の対象のコネクタを用いることができる。多くのコネクタは未使用のピンを有し、任意の分離ネットワークなしで起動信号用に用いることができる。これらの分類に入るコネクタには、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、およびバッテリコネクタが含まれるが、それらには限定されない。
【００７１】
ここで図２３を参照すると、対象５２５が示されている。対象５２５は、対象５２５のハウジング５２７内に設置したＲＦＡ装置を有する。対象５２５を製造したとき、ＲＦＡ装置は対象ユーティリティを無効または実質的に犠牲にするように設定されたそのスイッチを有している。この方法では、対象が盗難された場合、対象ユーティリティ５４４は利用不可能にできる。ユーティリティは、例えば、対象の電源をオンにする能力であっても、対象装置の機能または利点を十分に用いるための能力であってもよい。別の例では、ユーティリティは、対象の美的な魅力であってもよい。別の例では、ユーティリティは、ＤＶＤ再生機やゲームコンソールなどの別の装置が対象上に格納した情報を読み取るための能力であってもよい。ＲＦＡ装置５２９は、ＲＦ源からＲＦ信号を受け取るためのアンテナ５３１と復調器／変調器５３５を有する。一例では、ＲＦ源は、販売時点端末のＲＦ送信器である。ＲＦＡ装置は、さらに電源５３３を有する。電源５３３は復調器／変調器回路５３５に関連付け、ＲＦ電力を使用可能な電気エネルギに変換できる。別の例では、電源５３３はバッテリであってもよく、対象５２５用の動作電源に接続することもできる。ＲＦＡ装置はスイッチ５３７を有し、スイッチ５３７は製造中、対象ユーティリティ５４４を利用不可能にする位置に設定される。対象ユーティリティ５４４は、対象インタフェース５４２を介してスイッチ５３７と通信する。対象インタフェースは、例えば、電源ライン、ロジックライン、メモリライン、マルチラインインタフェース、または内部光リンクであってもよい。当然のことながら、対象ユーティリティをスイッチ５３７にインタフェースするために他の方法を用いることもできる。
【００７２】
さらに、当然のことながら、対象インタフェース５４２は、ＲＦＡ装置５２９の特定の物理構成に依存するものであってもよい。例えば、ＲＦＡ装置は集積回路として構成でき、その場合は対象インタフェース５４２はＩＣパッケージ装置上のピンであってもよい。対象インタフェース５４２はＩＣのピンをＰＣ基板の内層の一つに接続し、改竄を低減できる。別の例では、ＲＦＡ装置は表面実装パッケージである。この場合、対象インタフェース５４２は、表面実装パッケージ上のパッドまたは端子インタフェースとして構成される。当然のことながら、ＲＦＡ装置用の物理的パッケージに依存して、他の種類の対象インタフェースを用いることもできる。
【００７３】
使用中、消費者は販売時点端末に対象５２５を持って行き、対象の支払いを行い、起動された対象を有することをユーザが許可されたことを販売時点の店員に確認させる。その時点で、販売時点の端末は、ＲＦ信号をアンテナ５３１に送信できる。アンテナ５３１は、復調器／変調器５３５と電源５３３と協調し、スイッチ５３７を異なる状態に変更するのに十分なＲＦ信号を受け取る。一例では、スイッチ５３７は、電源５３３の印加により吹き飛ばされるヒューズである。別の例では、スイッチ５３７は、電気光学材料などの変更実行素子である。電流を印加すると、電気光学材料は状態を変化させ、それは対象インタフェースを介して対象ユーティリティによって検出できる。いったんスイッチ５３７がその動作状態になると、次に対象ユーティリティ５４４が起動され、スイッチ５３７の新しい位置を検出し、対象を十分動作可能にする。従って、対象５２５は無効状態で流通チャネルを介して配送され、販売時点システムからの許可時にＲＦ信号を用いて起動される。いくつかの構成では、販売時点で装置に確認信号を送り戻して起動動作を確認できる。
【００７４】
ここで図２４を参照すると、別の対象５５０が示されている。対象５５０は既に説明した対象５２５と同様であり、詳しくは説明しない。対象５５０はハウジング５６６を有し、ハウジング５６６はケース５６４を有し、ケース５６４はＲＦ信号から内部ＲＦＡ装置５６８を遮蔽する。遮蔽のために、アンテナ部材５５２はケース５６４の外部に取り付けるように構成する。より詳細には、外部ＲＦＡモジュール５５２は、アンテナ構造５５５、電源構造５５７、および復調器／変調構造５５９を有する。アンテナ部材５５２はコネクタ５６２を介して、内部ＲＦＡ装置５６８に接続するように構成できる。コネクタ５６２は特に外部アンテナモジュール５５２を受け取るように設計することもでき、図１７〜２２を参照しながら説明したように標準コネクタであってもよい。コネクタ５６２によって、受信したＲＦ起動信号はスイッチ５７２で受け取ることができ、それから対象ユーティリティ５６９はスイッチがその動作状態であるかどうかを決定する。より詳細には、対象ユーティリティ５６９は、対象インタフェースを介してスイッチ５７２と通信を行う。内部ＲＦＡ装置５６８は、集積回路ＤＩＰ、表面実装パッケージ、または他の部品やモジュール構造として構成できる。対象５５０を起動した後、アンテナ部材５５２はコネクタから取り外し廃棄できる。いくつかの構成では、確認信号を販売時点で装置に送り戻し、起動動作を確認できる。
【００７５】
ここで図２５を参照すると、別の対象装置６００が示されている。対象装置６００はハウジング６１７を有し、ハウジング６１７はケース６１５を有し、ケース６１５はＲＦ遮蔽を提供する。従って、ケース６１５内に配置した任意のＲＦＩＤ装置はＲＦ信号を十分に受け取ることができなくなる。そのため、ＲＦ読み取り器からそのアンテナ６０４を介して、ＲＦ通信信号を十分に受け取れるように、外部アンテナモジュール６０２を配置する。アンテナは復調器／変調器６０８と協調し、電力またはデータ信号をＲＦＩＤ部６１９に渡す。ＲＦＩＤ部６１９は対象ハウジング内に配置することも、別の保護された位置に配置することもできる。例えば、ＲＦＩＤ部６１９は対象のパッケージ内に配置し、同時に外部アンテナモジュール６０２をパッケージの外側に配置することもできる。外部モジュール６０２は、様々な方法でＲＦＩＤ部６１９に接続できる。例えば、外部モジュール６０２は、装置上のコネクタに接続できる。アダプタ６１０は装置上の既存のコネクタ６１３と協調するように構成することも、ＲＦＩＤ用に特別に構成することもできる。使用時には、対象６００は、消費者によって販売時点のレジ端末に持って行かれる。販売時点のレジ端末では、ＲＦ読み取り器がアンテナ６０４にＲＦ問い合わせを行う。アンテナ６０４は復調器／変調器６０８と協調し、ロジック／メモリブロック６２２内に格納した識別子６２１を読み込む。好ましくは、ＲＦ読み取り器はさらにＲＦ電源６０６を提供し、論理的機能および通信機能に電力を供給する。識別子６２１はアンテナ６０４を介して、ＲＦ読み取り器に無線的に送り戻される。そのアンテナ部６０２からＲＦＩＤ部６１９を分離することによって、より効率的で堅牢なＲＦＩＤシステムが可能になる。
【００７６】
ここで図２６を参照すると、ＲＦＩＤ使用可能装置６２５が示されている。ＲＦＩＤ装置６２５は、対象パッケージ６２７を有する。ＲＦＩＤ６２９は対象に取り付けるか、または対象内に設置する。しかし、ＲＦＩＤ部６２９は実質的なＲＦ信号から遮蔽されるので、アンテナ部６３１は別個に設けられる。アンテナ部６３１は、よりよいＲＦ特性を備えた対象の別の領域上に設置することも、対象パッケージの異なる領域に設置することもできる。ＲＦＩＤアンテナ部６３１は廃棄可能であってもよく、保証または修理サービスを容易にするために恒久的に固定することもできる。
【００７７】
この発明の特定の好ましい実施形態および代替形態を開示してきたが、当然のことながら、この発明の開示内容を用いて、上記の技術の多くの様々な修正および拡張を実現できる。このような修正および拡張は全て、添付の請求項の真の精神および範囲内に含まれるものとする。
【図面の簡単な説明】
【００７８】
【図１】ユーティリティを制御する高周波起動装置のブロック図である。
【図２】ユーティリティを制御する高周波起動装置のブロック図である。
【図３】従来技術のＲＦＩＤチップのブロック図である。
【図４】対象を起動するためのプロセスのブロック図である。
【図５】ＲＦＡ装置のブロック図である。
【図６】ＲＦＡ装置のブロック図である。
【図７】ＲＦＡ装置のブロック図である。
【図８】外部アンテナ部材を備え、ユーティリティを制御する電子装置の実例である。
【図９】外部アンテナ部材を備え、ユーティリティを制御する電子装置の図である。
【図１０】外部アンテナ部材を備え、ユーティリティを制御する電子装置の図である。
【図１１】ＲＦＡ内部装置を用いて起動される対象のブロック図である。
【図１２】ＲＦＡ内部装置を用いて起動される対象のブロック図である。
【図１３】ＲＦＡ内部装置を用いて起動される対象のブロック図である。
【図１４】ＲＦＡ内部装置を用いて起動される対象のブロック図である。
【図１５】ＲＦＡ内部装置を用いて起動される対象のブロック図である。
【図１６】ＲＦＡ内部装置を用いて起動される対象のブロック図である。
【図１７】ユーティリティを制御される対象の回路図である。
【図１８】ユーティリティを制御される対象の回路図である。
【図１９】ユーティリティを制御される対象の回路図である。
【図２０】ユーティリティを制御される対象の回路図である。
【図２１】ユーティリティを制御される対象の回路図である。
【図２２】ユーティリティを制御される対象の回路図である。
【図２３】起動を制御する高周波起動装置のブロック図である。
【図２４】起動を制御する高周波起動装置のブロック図である。
【図２５】高周波識別装置のブロック図である。
【図２６】高周波識別装置のブロック図である。
【符号の説明】
【００７９】
２３  変調器/復調器
３１  スイッチ
５４  アンテナ
【図１】
2008523506.tif 000003
【図２】
2008523506.tif 000004
【図３】
2008523506.tif 000005
【図４】
2008523506.tif 000006
【図５】
2008523506.tif 000007
【図６】
2008523506.tif 000008
【図７】
2008523506.tif 000009
【図８】
2008523506.tif 000010
【図９】
2008523506.tif 000011
【図１０】
2008523506.tif 000012
【図１１】
2008523506.tif 000013
【図１２】
2008523506.tif 000014
【図１３】
2008523506.tif 000015
【図１４】
2008523506.tif 000016
【図１５】
2008523506.tif 000017
【図１６】
2008523506.tif 000018
【図１７】
2008523506.tif 000019
【図１８】
2008523506.tif 000020
【図１９】
2008523506.tif 000021
【図２０】
2008523506.tif 000022
【図２１】
2008523506.tif 000023
【図２２】
2008523506.tif 000024
【図２３】
2008523506.tif 000025
【図２４】
2008523506.tif 000026
【図２５】
2008523506.tif 000027
【図２６】
2008523506.tif 000028
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
対象インタフェースと、
対象インタフェースに接続したスイッチ素子と、
スイッチに動作可能なように接続した条件付き回路と、
条件付き回路に接続した変調器／復調器と、
変調器／復調器に接続したアンテナを有する高周波コントローラ装置。
【請求項２】
集積回路ＤＩＰ、表面実装パッケージとして構成するか、またはシリコン基板としてパッケージした請求項１記載の高周波コントローラ装置。
【請求項３】
さらに低電力ＲＦ回路部と、
全電力回路部と、
共有回路部を有し、
前記低電力回路部が共有回路部の状態を設定し、共有回路部の状態が全電力回路部の出力に影響を及ぼす請求項１記載の高周波コントローラ装置。
【請求項４】
低電力ＲＦ回路部が、
アンテナと、
変調器／復調器と、
条件付き回路を有し、
全電力回路部が
対象インタフェースを有し、
共有回路部が、
スイッチを有し、
前記低電力回路部がスイッチの状態を設定し、スイッチの状態が全電力回路部の出力に影響を及ぼす請求項３記載の高周波コントローラ装置。
【請求項５】
さらにメモリ、
条件付き回路、
スイッチ、
および対象インタフェースを含む内部モジュールと、
アンテナ、
および変調器／復調器を含む外部モジュールと、
内部モジュールと外部モジュールの間の接続を有する請求項１記載の高周波コントローラ装置。
【請求項６】
さらにメモリ、
条件付き回路、
スイッチ、
対象インタフェース、
および変調器／復調器を含む内部モジュールと、
アンテナを含む外部モジュールと、
内部モジュールと外部モジュールの間の接続を有する請求項１記載の高周波コントローラ装置。
【請求項７】
さらに、内部モジュールに電力を供給するための電源を有する請求項５または６記載の高周波コントローラ装置。
【請求項８】
さらに、外部モジュールに電力を供給するための電源を有する請求項５または６記載の高周波コントローラ装置。
【請求項９】
外部モジュールがさらに嵌合コネクタを有し、オーディオ入力コネクタ、オーディオ出力コネクタ、ビデオ入力コネクタ、ビデオ出力コネクタ、データコネクタ、ネットワークコネクタ、ＡＣ電源コネクタ、ＤＣ電源コネクタ、バッテリ電源コネクタ、ＵＳＢポート、Ｅｔｈｅｒｎｅｔ（登録商標）ポート、マウスポート、キーボードポート、ＰＣＭＣＩＡポート、メモリカードポート、Ｓビデオポート、ゲームポート、シリアルポート、パラレルポート、電話ジャック、標準コネクタ、カスタムコネクタ、およびバッテリコネクタからなるグループから選択したコネクタと嵌合するように嵌合コネクタを構成した請求項５または６記載の高周波コントローラ装置。
【請求項１０】
電源ライン、データライン、ロジックライン、またはＲＦ信号ラインに接続するように接続を構成した請求項５または６記載の高周波コントローラ装置。
【請求項１１】
さらに、内部モジュールを外部モジュールに接続するためのコネクタを有し、
前記内部モジュールがコネクタ内にある請求項５または６記載の高周波コントローラ装置。
【請求項１２】
アンテナが、取り外し可能である請求項１記載の高周波コントローラ装置。
【請求項１３】
対象インタフェースが、ロジックライン、メモリ、制御ライン、または電源ラインである請求項１記載の高周波コントローラ装置。
【請求項１４】
対象インタフェースが透明基板であり、スイッチが透明基板上の変更実行素子である請求項１記載の高周波コントローラ装置。
【請求項１５】
変更実行素子が、透明基板上に配置した電気的に切り替え可能な光学材料である請求項１４記載の高周波コントローラ装置。
【請求項１６】
スイッチが変更実行素子であり、変更実行素子がメモリ値、電子的スイッチ、電気的スイッチ、機械的スイッチ、ヒューズ、電気機械的素子、化学的変化、電気光学フィルタ、光放射器、音声放射器、ＥＭ放射器、または電力コントローラである請求項１記載の高周波コントローラ装置。
【請求項１７】
さらに、条件付き回路で使用するためのキーを格納するメモリを有する請求項１記載の高周波コントローラ装置。
【請求項１８】
条件付き回路が、ロジック回路、プロセッサ、マイクロプロセッサ、マイクロコントローラ、または比較回路である請求項１記載の高周波コントローラ装置。
【請求項１９】
メモリが、不揮発性、消去不可能、変更不可能であるか、または外部から読み取ることができない請求項１記載の高周波コントローラ装置。
【請求項２０】
電力が、変調器／復調器、バッテリ、または対象装置への電力接続によって供給される請求項１記載の高周波コントローラ装置。
【請求項２１】
さらにハウジングと、
対象に取り付けるための取り付け手段を有する請求項１記載の高周波コントローラ装置。
【請求項２２】
取り付け手段が、接着剤、ボンディングパッド、取り外し可能な機械的接続、ロックする機械的接続、または回路ピンである請求項２１記載の高周波コントローラ装置。
【請求項２３】
さらに、アンテナを介して受信したデータを格納するための追加のメモリ、起動をカウントするための追加のメモリ、または条件付き回路で使用するための追加のメモリを有する請求項１記載の高周波コントローラ装置。
【請求項２４】
さらに、アンテナと変調器／復調器の間に接続した整合ネットワーク回路を有する請求項１記載の高周波コントローラ装置。
【請求項２５】
対象上のコネクタと、
コネクタに接続し、第一周波数でコネクタを介して動作信号を受信するように構成した動作回路と、
対象装置内の動作回路に接続した変更実行素子、
コネクタに接続し、起動信号に応じて変更実行素子の状態を設定するように構成した起動回路、
および起動回路に接続し、対象が電源オフ状態のとき起動回路に電力を供給するために利用可能な電源を含むスイッチ素子を有し、
前記対象が電源オフ状態のとき、スイッチの状態が選択可能なように設定されるＲＦ起動対象装置。
【請求項２６】
さらにコネクタに接続したアンテナモジュールを有し、第二周波数で起動信号を提供する請求項２５記載のＲＦ起動対象装置。
【請求項２７】
アンテナモジュールがさらに復調器を有し、受信したＲＦ信号より低い周波数で起動信号を提供する請求項２５記載のＲＦ起動対象装置。
【請求項２８】
アンテナモジュールがさらに復調器を有し、約１Ｈｚ〜約１００ＭＨｚの範囲の周波数で起動信号を提供する請求項２５記載のＲＦ起動対象装置。
【請求項２９】
さらに分離回路を有し、実質的に全ての起動信号を起動回路に導き、実質的に全ての動作信号を動作回路に導く請求項２５記載のＲＦ起動対象装置。
【請求項３０】
コネクタがＡＣ電源コネクタであり、
動作回路が電源であり、
分離回路がコンデンサの組とコイルの組であり、ＡＣ電力をコネクタに提供するときＡＣ電力が電源に導かれ、アンテナ部材をコネクタに提供するとき起動信号が起動回路に導かれる請求項２９記載のＲＦ起動対象装置。
【請求項３１】
コネクタがオーディオ入力ポートであり、
動作回路がオーディオ周波数範囲内の信号上で動作するオーディオ回路であり、
分離回路がオーディオ回路からのより高周波数の変更信号を短絡するシャントコンデンサと、起動信号電流からオーディオ回路を保護するクランプダイオードを有する請求項２９記載のＲＦ起動対象装置。
【請求項３２】
分離回路がさらにダイオードを有し、前記ダイオードが対象の電源によって逆バイアスされ、電源がオンのときオーディオ帯域信号が起動回路に送られないようにする請求項３１記載のＲＦ起動対象装置。
【請求項３３】
コネクタがオーディオ出力ポートであり、
動作回路がオーディオ周波数範囲内の信号上で動作するオーディオ回路であり、
分離回路がオーディオ回路からのより高周波数の変更信号を遮断するオーディオ帯域通過フィルタと、起動信号電流からオーディオ回路を保護するクランプダイオードを有する請求項２９記載のＲＦ起動対象装置。
【請求項３４】
分離回路がさらにダイオードを有し、前記ダイオードが対象の電源によって逆バイアスされ、電源がオンのときオーディオ帯域信号が起動回路に送られないようにする請求項３３記載のＲＦ起動対象装置。
【請求項３５】
コネクタがＤＣ電源コネクタであり、
動作回路がＤＣ電源ラインであり、
分離回路が電源ラインに接続したコイルを有し、ＤＣ電力がコネクタに提供されたときＤＣ電力を電源ラインに導き、アンテナ部材がコネクタに提供されたとき起動信号が電源から遮断される請求項２９記載のＲＦ起動対象装置。
【請求項３６】
分離回路がさらにダイオードを有し、前記ダイオードが対象の電源によって逆バイアスされ、電源がオンのときＤＣ電力が起動回路に送られないようにする請求項３５記載のＲＦ起動対象装置。
【請求項３７】
コネクタがビデオ信号を受け取るためのビデオ入力ポートであり、
動作回路がビデオ回路であり、
分離回路が対象の電源に応じて動作するスイッチ素子であり、対象が電源オフ状態であるときスイッチ素子が起動信号を起動回路に導き、対象が電源オン状態であるときビデオ信号をビデオ回路に導く請求項２９記載のＲＦ起動対象装置。